(57)【要約】  トリアシルグリセリド含有油を原油前駆体および／または留出炭化水素燃料に変換する方法を開示する。この方法は、トリアシルグリセリド含有油と水と二原子水素の混合物を約250℃〜約560℃の範囲の温度かつ約75バール超の圧力で反応させてトリアシルグリセリドの少なくとも一部を変換し、水と、イソオレフィン、イソパラフィン、シクロオレフィン、シクロパラフィン、芳香族のうちの1種類以上とを含む反応流出液を回収し；その反応流出液を水素処理して水素処理された流出液を形成する操作を含むことができる。
2015532343.tif 000002
【特許請求の範囲】
【請求項１】
トリアシルグリセリド含有油を原油前駆体および／または蒸留炭化水素燃料に変換する方法であって、
水と、二原子水素と、少なくとも20重量％のC20〜C24脂肪酸を含むトリアシルグリセリド含有油とを含む混合物を約250℃〜約560℃の範囲の温度かつ約75バール超の圧力で反応させてトリアシルグリセリドの少なくとも一部を変換し、水と、イソオレフィン、イソパラフィン、シクロオレフィン、シクロパラフィン、芳香族のうちの1種類以上とを含む反応流出液を回収し；
その反応流出液を水素処理して水素処理された流出液を形成する操作を含む方法。
【請求項２】
前記トリアシルグリセリド含有油のジェット収率の理論値が少なくとも50重量％である、請求項1に記載の方法。
【請求項３】
前記トリアシルグリセリド含有油が、主に、カメリナ、カリナタ、レスクエレラ、フィサリアと、これらの混合物からの再生可能な油からなる、請求項1に記載の方法。
【請求項４】
前記トリアシルグリセリド含有油を水および二原子水素と混合してトリアシルグリセリドと水と二原子水素の混合物を形成する操作をさらに含む、請求項1に記載の方法。
【請求項５】
前記トリアシルグリセリド含有油を水と混合してトリアシルグリセリドと水の混合物を形成する操作をさらに含む、請求項1に記載の方法。
【請求項６】
トリアシルグリセリドと水の前記混合物を水素と混合してトリアシルグリセリドと水と二原子水素の前記混合物を形成する操作をさらに含む、請求項5に記載の方法。
【請求項７】
トリアシルグリセリドと水と二原子水素の前記混合物の水とトリアシルグリセリドの質量比が約0.001：1〜約1：１の範囲である、請求項1に記載の方法。
【請求項８】
トリアシルグリセリドと水と二原子水素の前記混合物の二原子水素とトリアシルグリセリドの質量比が約0.005：1〜約0.5：１の範囲である、請求項1に記載の方法。
【請求項９】
水素処理された前記流出液から二原子水素と水の少なくとも一方を分離する操作をさらに含む、請求項1に記載の方法。
【請求項１０】
分離された前記二原子水素と分離された前記水の少なくとも一方を前記反応ステップにリサイクルする操作をさらに含む、請求項9に記載の方法。
【請求項１１】
前記水素処理ステップにおいて、再生不能な炭化水素供給原料を前記反応流出液と同時に処理する操作をさらに含む、請求項1に記載の方法。
【請求項１２】
水素処理された前記流出液を分留し、ナフサ、ディーゼル、ジェットいずれかの範囲で沸騰する1種類以上の炭化水素留分を回収する操作をさらに含む、請求項1に記載の方法。
【請求項１３】
不均一系触媒または可溶性金属触媒の添加なしで前記反応を実施する、請求項1に記載の方法。
【請求項１４】
請求項1に記載の方法において、熱水分解反応装置の中で前記反応をさせ、この方法が、水をその熱水分解反応装置の中に注入してその熱水分解反応装置の内部の温度または温度プロファイルを維持する操作をさらに含む方法。
【請求項１５】
前記ジェット留分の全酸数が、1g当たりのKOHのmg数で表わして0.1未満である、請求項12に記載の方法。
【請求項１６】
前記ジェット留分が、約5体積％未満のオレフィンと、約25体積％未満の芳香族を含む、請求項12に記載の方法。
【請求項１７】
前記ジェット留分を混合せずにジェット燃料として直接使用できる；または
前記ディーゼル留分を混合せずにディーゼル燃料として直接使用できる、請求項12に記載の方法。
【請求項１８】
トリアシルグリセリド含有油を原油前駆体および／または蒸留炭化水素燃料に変換する方法であって、
1種類以上のトリアシルグリセリド含有油に変換プロセスを実施してトリアシルグリセリドの少なくとも一部を変換し、ナフサ、ディーゼル、ジェットいずれかの範囲で沸騰するイソオレフィン、イソパラフィン、シクロオレフィン、シクロパラフィン、芳香族のうちの1種類以上を含む反応生成物を生成させ；
前記トリアシルグリセリド含有油の組成を変えることにより、ジェット範囲の生成物の収率を選択的に変化させる操作を含む方法。
【請求項１９】
前記変えるステップが、前記トリアシルグリセリド含有油に含まれるカメリナ系油、カリナタ系油、レスクエレラ系油、フィサリア系油のいずれか、またはこれらの混合物の含有量を増減させる操作を含む、請求項18に記載の方法。
【請求項２０】
前記変換プロセスが熱分解プロセスを含む、請求項18に記載の方法。
【請求項２１】
前記熱分解プロセスを、固定床反応装置、流動床反応装置、噴流床反応装置いずれかの中で、不活性な材料とともに、または不活性な材料なしで、約300℃〜600℃の範囲の温度にて、約2〜1000/時の範囲の空間速度で、同時に供給する水なしに実施する、請求項20に記載の方法。
【請求項２２】
前記変換プロセスが熱水液化プロセスを含む、請求項18に記載の方法。
【請求項２３】
前記熱水液化プロセスを、固定床反応装置、流動床反応装置、噴流床反応装置いずれかの中で、不活性な材料とともに、または不活性な材料なしで、約150℃〜370℃の範囲の温度にて、約50〜200バールの範囲の圧力で、約3〜約60分間の範囲の滞留時間にして、同時に供給する水の存在下で実施する、請求項22に記載の方法。
【請求項２４】
前記変換プロセスが超臨界熱水分解プロセスを含む、請求項18に記載の方法。
【請求項２５】
前記超臨界熱水分解を、固定床反応装置、流動床反応装置、噴流床反応装置いずれかの中で、不活性な材料とともに、または不活性な材料なしで、約3〜約60分間の範囲の滞留時間にして、超臨界水条件で実施する、請求項24に記載の方法。
【請求項２６】
前記変換プロセスが接触分解プロセスを含む、請求項18に記載の方法。
【請求項２７】
前記接触分解プロセスを、噴流床反応装置の中で、流体クラッキング触媒を用いて約350℃〜600℃の範囲の温度で実施する、請求項26に記載の方法。
【請求項２８】
前記変換プロセスが接触水素化熱分解プロセスを含む、請求項18に記載の方法。
【請求項２９】
前記接触水素化熱分解を、固定床反応装置、流動床反応装置、スラリー相反応装置、噴流床反応装置いずれかの中で、担持されているか担持されていない卑金属酸化物、シリカ-アルミナ、ゼオライト、金属リン化物、ハイドロタルク石のうちの1種類以上を含む触媒を用い、約300℃〜600℃の範囲の温度にて、約1〜100バールの範囲の圧力で実施する、請求項28に記載の方法。
【請求項３０】
前記変換プロセスが、熱水分解プロセスと接触分解プロセスの組み合わせを含む、請求項18に記載の方法。
【請求項３１】
前記反応生成物またはその一部を水素処理し、Jet A、Jet A-1、JP-4、JP-5、JP-6、JP-7、JP-8、SPK、HEFAというジェット燃料のうちの1種類以上を含む仕様ジェット燃料生成物を生成させる操作をさらに含む、請求項18に記載の方法。
【請求項３２】
前記水素処理が、前記反応生成物またはその一部を、反応条件で、担持されているか担持されていなくて、オレイン結合の飽和、水素化脱酸素、水素化脱窒素、水素化硫化のうちの少なくとも1つに関する活性を有する金属、金属酸化物、金属硫化物のうちの1種類以上を含む触媒と接触させる操作を含む、請求項31に記載の方法。
【発明の詳細な説明】
【技術分野】
【０００１】
ここに開示する実施態様は、全体として、トリアシルグリセリドを含む植物脂肪含有油または動物脂肪含有油から留出燃料などの有用な炭化水素を生成させることに関する。より具体的には、ここに開示する実施態様は、トリアシルグリセリドを含む植物脂肪含有油または動物脂肪含有油からジェット燃料範囲の炭化水素を生成させることに関する。
【背景技術】
【０００２】
作物、動物の脂肪、植物由来の廃棄油、動物由来の廃棄油などに由来するトリアシルグリセリド含有油の熱水分解には、多くのタイプの化学反応が関与する。一例として、いくつかの従来法は、触媒を用いてC10〜C18トリアシルグリセリド含有油を水素処理することで、トリアシルグリセリド含有油に含まれる不飽和脂肪族鎖を直鎖パラフィンに変換すると同時に、酸基とグリセリル基の脱酸素／脱カルボキシル化により水、二酸化炭素、プロパンを形成している。その後、2つの下流プロセスが必要とされる。それは、（a）n-パラフィンの骨格を異性体化してイソパラフィンにし、仕様グレードのディーゼル燃料を生成させるプロセスと、（b）ディーゼル範囲のn-パラフィンとイソパラフィンを水素化分解して炭化水素にし、仕様グレードのジェット燃料を生成させるプロセスである。
【０００３】
例えばアメリカ合衆国特許第7,691,159号には、超臨界水条件において圧縮された熱水の存在下でトリアシルグリセリドをより小さな有機酸に変換する熱水分解法が開示されている。この方法を実施している間にトリアシルグリセリドの骨格の再配置反応が起こる。
【発明の概要】
【０００４】
1つの特徴では、ここに開示した実施態様は、トリアシルグリセリド含有油を原油前駆体および／または留出炭化水素燃料に変換する1つの方法に関する。この方法は、水と、二原子水素と、少なくとも20体積％のC20〜C24脂肪酸を含むトリアシルグリセリド含有油とを含む混合物を約250℃〜約560℃の範囲の温度かつ約75バール超の圧力で反応させてトリアシルグリセリドの少なくとも一部を変換し、水と、イソオレフィン、イソパラフィン、シクロオレフィン、シクロパラフィン、芳香族のうちの1種類以上とを含む反応流出液を回収し；その反応流出液を水素処理して水素処理された流出液を形成する操作を含むことができる。
【０００５】
別の1つの特徴では、ここに開示した実施態様は、トリアシルグリセリド含有油を原油前駆体および／または留出炭化水素燃料に変換する1つの方法に関する。この方法は、1種類以上のトリアシルグリセリド含有油に対して変換プロセスを実行してトリアシルグリセリドの少なくとも一部を変換し、ナフサ燃料、ディーゼル燃料、ジェット燃料の範囲で沸騰するイソオレフィン、イソパラフィン、シクロオレフィン、シクロパラフィン、芳香族のうちの1種類以上を含む反応生成物を生成させ；そのトリアシルグリセリド含有油の組成を変えることにより、ジェット範囲の生成物の収率を選択的に変化させる操作を含むことができる。変える操作には、例えば、トリアシルグリセリド含有油の中のカメリナ系油、カリナタ系油、レスクエレラ系油、フィサリア系油のいずれか、またはこれらの混合物の含有量を増減させることが含まれる。するとこの方法の全体的なジェット収率に影響が及ぶ。
【０００６】
他の特徴と利点は、以下の説明と添付の請求項に現われるであろう。
【図面の簡単な説明】
【０００７】
【図１】この明細書の実施態様による1つの方法を簡略化した流れ図である。
【図２】この明細書の実施態様による1つの方法を簡略化した流れ図である。
【発明を実施するための形態】
【０００８】
1つの特徴では、ここに開示した実施態様は、全体として、トリアシルグリセリド含有油（例えば再生可能な供給原料）から有用な炭化水素（例えばパラフィン）を生成させることに関する。別の1つの特徴では、ここに開示した実施態様は、トリアシルグリセリド含有油を変換して原油前駆体および／または留出炭化水素燃料に変換する方法とシステムに関する。
【０００９】
トリアシルグリセリド含有油を含む再生可能な供給原料でここに開示した実施態様において有用なものには、脂肪酸、飽和トリアシルグリセリド、1つ以上のオレフィン結合を有するトリアシルグリセリドが含まれている可能性がある。トリアシルグリセリド含有油は、例えば、カメリナ、カリナタ、レスクエレラ、フィサリア、ヤトロファ、カランジャ、モリンガ、ヤシ、ヒマ、ワタ、トウモロコシ、亜麻仁、ピーナツ、ダイズ、ヒマワリ、桐、ババスヤシ、カノラのうちの少なくとも1種類からの油を含むか、シアバター、トール油、獣脂、廃棄植物油、藻類の油、ポンガミアのうちの少なくとも1種類からの少なくとも1種類のトリアシルグリセリド含有油を含んでいる可能性がある。
【００１０】
トリアシルグリセリド含有油と、水と、二原子水素H2として供給される水素との混合物は、約250℃〜約560℃の範囲の温度かつ約75バール超の圧力で反応させてトリアシルグリセリドの少なくとも一部を変換し、1種類の炭化水素にするか、イソオレフィン、イソパラフィン、シクロオレフィン、シクロパラフィン、芳香族のうちの1種類以上を含む炭化水素の混合物にすることができる。いくつかの実施態様では、反応条件は、温度が水の超臨界温度よりも高く、圧力が水の超臨界圧力よりも高いというものである。その後、得られた反応流出液をさらに処理し、分離し、炭化水素生成物を回収することができる。
【００１１】
トリアシルグリセリドと水と水素の混合物を形成するには、トリアシルグリセリド含有油を水および二原子水素と任意の順番で混合してもよいし、トリアシルグリセリド含有油を水と二原子水素の混合物と混合してもよい。
【００１２】
超臨界水の熱水分解反応条件においてプロトン性水素をその場で生成させることができる。例えばアメリカ合衆国特許第7,691,159号では、ダイズ油1モルにつき1.5モルのH2を水から取り出し、得られた炭化水素に添加することが仮定されている。これを同等な二原子水素で表わすと、その場で得られるプロトン性水素原子は素早く反応し、トリアシルグリセリドに由来するカルボキシレート分子に組み込まれると考えられる。ここに開示した実施態様で用いる二原子水素供給物が、熱水分解反応装置の中で水やそれ以外の諸成分からその場で生成させることのできるあらゆる単原子水素に加わることで、追加の運転経費がかかるものの、熱水分解反応装置の中での反応性を大きくするとともに、得られる生成物のH/C比を大きくするという利点を提供することができる。外部から供給される二原子水素は、プロセスの性能を制御する独立な手段も提供する。この制御は、その場で単原子水素を生成させるだけでは実現できない。なぜならこの制御は、熱水分解反応条件と、トリアシルグリセリド含有供給原料の組成に依存しているからである。結局、二原子水素を超臨界水および再生可能な油供給物とともに触媒式熱水分解反応装置に外部から供給することで、その場での単原子水素生成だけの場合と比べて異なる方法、異なる反応メカニズム、よりよい性能が提供される。
【００１３】
触媒式熱水分解反応装置に外部から二原子水素を同時に供給することの別の利点は、触媒式熱水分解反応の間に形成されるあらゆる遊離ラジカルを安定化させることにより、そうしないそうしない場合にこれら遊離ラジカルが凝縮する結果として形成される可能性のあるオリゴマー材料および／またはポリマー材料（コークスまたはコークス前駆体またはコークス堆積物と呼ばれることがしばしばある）の形成が回避されるという水素キャッピング効果である。したがって二原子水素を外部から同時に供給すると、二原子水素ガスを同時に供給しない方法と比べて流れ作業の操作性が改善される。
【００１４】
いくつかの実施態様では、トリアシルグリセリドと水と二原子水素の混合物を形成するため、トリアシルグリセリド含有油を最初に水と混合してトリアシルグリセリドと水の混合物を形成する。次に、得られたトリアシルグリセリドと水の混合物を二原子水素と混合し、トリアシルグリセリドと水と二原子水素の混合物を形成する。
【００１５】
トリアシルグリセリドと水と二原子水素の混合物は、水とトリアシルグリセリドの質量比を、いくつかの実施態様では約0.001：1〜約1：１の範囲にすること、別の実施態様では約0.01：1〜約1：１の範囲にすること、さらに別の実施態様では約0.1：1〜約1：１の範囲にすることができる。
【００１６】
トリアシルグリセリドと水と二原子水素の混合物は、二原子水素とトリアシルグリセリドの質量比を、いくつかの実施態様では約0.001：1〜約1：１の範囲にすること、別の実施態様では約0.005：1〜約0.5：１または1：1の範囲にすること、別の実施態様では約0.01：1〜約0.5：１の範囲にすること、さらに別の実施態様では約0.1：1〜約0.5：１の範囲にすることができる。いくつかの実施態様では、二原子水素とトリアシルグリセリドの質量比は、約0.1：1〜約0.2：１の範囲である。いくつかの実施態様では、供給する全二原子水素の割合は、熱水分解においてと、密にカップルした下流プロセスのあらゆるステップ（例えば水素処理）において必要な水素の一部または全部が供給されるのに十分であるようにすることができる。
【００１７】
次に、反応流出液を、水、未反応の二原子水素、他の軽いガス副生成物を途中で分離することなく、直接に触媒を用いて水素処理し、追加の留出範囲炭化水素を形成する、および／または反応流出液に含まれる前駆体を留出範囲炭化水素に変換する。均一系触媒を用いた水素処理により、原油が生成する。この原油は、不均一系触媒を用いた水素処理により、インフラストラクチャーに適合した留出燃料に変換する必要がある。触媒を用いた水素処理法は、ヘテロ原子の除去と二重結合飽和反応の両方に対する活性を有する担持触媒を用いて高圧（例えば500〜2000 psig超）で実施することができる。化学量論的条件を超える二原子水素ガスの過剰な流れも必要とされ、触媒を用いた熱水分解に由来する原油の場合には、供給原料を1バレルにつき1000〜2000 scfの範囲にすることができる。後者の値は、再生可能な供給原料のタイプと、触媒を用いた熱水分解反応の条件に依存する。過剰な二原子水素が必要なのは、a）望む水素処理反応を大きな変換率で実行するためと；b）管理できない発熱を制御するための熱シンクを提供するためである（熱シンクがないと、水素処理反応の大きな熱から管理できない発熱が生じる可能性がある）。断熱温度上昇、すなわち水素処理触媒床を横断して生成物流出液流に入る反応物質流からの温度上昇は、消費される1000標準立方フィートの水素につき約180〜200°Fの大きさに達する可能性がある。二原子水素を熱水分解反応装置に外部から同時に供給することの1つの利点は、触媒式熱水分解反応装置からの流出ガス流に含まれる二原子水素が、下流の触媒式水素処理反応装置に必要な二原子水素の供給量の一部またはすべてを提供できることと、上述のように触媒式熱水分解反応装置そのものの中での反応を促進させうることである。
【００１８】
いくつかの実施態様では、上記のトリアシルグリセリド含有油は、熱水分解の後、水素処理ゾーンにおいて、他の炭化水素供給原料（例えば常圧軽油（AGO）、減圧軽油（VGO））や、石油、シェール油、タール・サンド、石炭由来の油、有機廃棄油などに由来する他の供給物と同時に処理することができる。
【００１９】
水素処理の後、水素処理した流出液を処理してその流出液から水、未反応の二原子水素、軽いガスを分離し、炭化水素を分留して1種類以上の炭化水素留分（例えばナフサ、ディーゼル、ジェットの範囲に沸点がある留分）を得る。次に、上述のように水と二原子水素をリサイクルしてトリアシルグリセリド含有油と混合することができる。
【００２０】
炭化水素を生成させるためのトリアシルグリセリドの主な反応として、水を触媒とした1種類以上の熱水分解反応が可能であり、約250℃〜約560℃の範囲、いくつかの実施態様では約375℃〜約550℃の範囲、別の実施態様では約425℃〜約525℃の範囲の反応温度で実施することができる。反応条件には、75バール超、いくつかの実施態様では150バール超、別の実施態様では200バール超、いくつかの実施態様では約75バール〜約300バール、別の実施態様では約150バール〜約250バールの圧力も含めることができる。温度および／または圧力の条件は、水の臨界温度よりも高い温度、および／または臨界圧力よりも大きい圧力から選択することができる。すべての実施態様において、熱水分解反応は、触媒（例えば無機不均一系触媒、可溶性金属触媒）を添加せずに実施することができる。
【００２１】
ここで図1を参照すると、この明細書の実施態様に従ってトリアシルグリセリド含有油を原油前駆体および／または留出炭化水素燃料に変換する1つの方法を簡略化した流れ図が示されている。トリアシルグリセリド含有油は流線2を通じてこのシステムに供給することができ、必要に応じてフィルタ4で濾過された後に供給物タンク6に保管される。その後、トリアシルグリセリド含有油はポンプ8によって送られ、流線10を通じて供給される水と混合することができる。トリアシルグリセリド含有油と水の混合は、混合装置（例えば混合ティー、撹拌容器、イン-ライン・ミキサー、当業者に知られている他の混合装置）の中で実施することができる。
【００２２】
次に、トリアシルグリセリドと水の混合物12は、流線14を通じて供給される二原子水素と組み合わされて、トリアシルグリセリドと水と二原子水素の混合物16を形成することができる。次に、混合物16は熱水分解反応装置18に供給されて、トリアシルグリセリドの少なくとも一部を留出炭化水素またはその前駆体に変換するのに十分な時間にわたって反応条件を維持される。反応条件として、約250℃〜約560℃の範囲の温度かつ少なくとも75バールの圧力が挙げられる。トリアシルグリセリドを変換するために反応装置18の中に滞留させる必要のある時間は、反応条件と、使用する具体的なトリアシルグリセリド含有油によって異なる可能性がある。いくつかの実施態様では、反応装置18の中での滞留時間として、約3〜約6分間の範囲が可能である。供給物の温度を反応条件まで上昇させるため、特に、供給物-流出液交換器20と、トリアシルグリセリドと水の混合物12を加熱するための間接的熱交換器22と、トリアシルグリセリドと水と二原子水素の混合物16を加熱するための間接的熱交換器24のうちの1つ以上を通じて熱を供給物に供給することができる。熱水分解反応には、いくつかの発熱反応も含むことができる。それらの発熱反応によって追加の熱を供給することで、必要な反応温度条件を維持することと、外部からの熱入力の必要性を減らすことができる。いくつかの実施態様では、1つ以上の水供給ライン26を設けることにより、熱水分解反応装置18の中の発熱と温度または温度プロファイルを制御することができる。
【００２３】
熱水分解反応装置18の中でトリアシルグリセリドを反応させた後、反応流出液28は、供給物-流出液交換器20の中で供給物をあらかじめ加熱するのに用いることと、さらに処理して留出炭化水素を回収することができる。例えば、熱水分解流出液28はその後、その熱水分解流出液から水を分離せずに水素処理システム29に供給してさらに処理することができる。水素処理システム29は、熱水分解流出液の少なくとも一部を留出炭化水素に変換するため、水素変換触媒を含む1つ以上の反応装置（水素処理装置）（図示せず）を備えることができる。必要な場合には、流線27を通じて追加の二原子水素を水素処理システム29に添加できる。さらに、上に指摘したように、追加の炭化水素供給原料を熱水分解流出液28と同時に処理し、流線25を通じて水素処理システム29に供給することができる。再生不能な炭化水素供給原料には、例えば、石油留分；シェール油留分；タール・サンド由来の留分；石炭ガス化副生成油；石炭熱分解油などのうちの1種類以上を含まれている可能性がある。必要な場合には、流線31を通じていくらかのイオウ含有化合物（例えば適切な炭化水素溶媒に溶かした二硫化ジメチル）を水素処理システム29に供給し、触媒を最も活性な状態に維持することができる。
【００２４】
熱水分解反応装置と水素処理システムは“密にカップルさせること”ができ、熱水分解反応ステップからの流出液は相分離することなく（水、油、二原子水素が分離されない）水素処理システム29に送られる。いくつかの実施態様では、熱水分解反応ステップからの流出液は、自生圧のもとで、すなわち通常の流れによって配管と供給物-流出液熱交換器において誘導される圧力低下によって起こる以外は熱水分解と水素処理の間にいかなる圧力低下もなしに、水素処理システム29に送ることができる。いくつかの実施態様では、熱水分解反応ステップからの流出液は、水素処理システムのより低い圧力レベルまで圧力を低下させて水素処理システムに送ることができる。それに加え、熱水分解反応装置に二原子水素が供給されるという理由で、水素処理には追加の二原子水素がほとんど必要ないか、まったく必要ないため、水素の圧縮または再圧縮の必要性が最少になるか不要になる。適した反応条件（圧力と、二原子水素とトリアシルグリセリドの比）と空間速度が理由で、二原子水素は反応システム全体を通過することができる。そのためシステムの性能が向上する（コーキングの割合の抑制、より大きな熱効率、より少ないコスト）。
【００２５】
次に、水素処理流出液34を流出液処理システム30に供給して反応生成物の分離と回収を行なうことができる。流出液処理システム30は、例えば、炭化水素から水32と二原子水素36を分離することができる。得られた炭化水素を分留し、2種類以上の留分にすることもできる。それらの留分には、図示したように、ナフサ38、ディーゼル41、ジェット40の範囲で沸騰する留出炭化水素と、減圧軽油（VGO）42が含まれている可能性がある。オフガス44もいくらか生成する可能性がある。
【００２６】
上に指摘したように、熱水分解反応ステップからの流出液を密にカップルさせ、自生圧のもとで、すなわち通常の流れによって配管と供給物-流出液熱交換器において誘導される圧力低下によって起こる以外は熱水分解と水素処理の間にいかなる圧力低下もなしに、水素処理システム29に送ることができる。そのような実施態様では、水素処理システム29と分離システム30の間に圧力低下弁35を設けることにより、1つ以上の圧力低下ステップで自生圧（例えば水の超臨界圧以上の圧力）から水の超臨界圧よりも低い圧力（例えば大気圧）まで圧力を低下させることができる。この圧力低下システムは、軽いガス（二原子水素を含む）、水、炭化水素を最初に相分離するために設けることもできる。
【００２７】
水留分32の一部を必要に応じて流線33からパージすることで、有機酸またはそれ以外の反応副生成物が蓄積するのを回避できる。次に、上に説明したように、水留分32と二原子水素留分36をリサイクルし、必要に応じてそれぞれ補給水46および補給二原子水素48と組み合わせることにより、トリアシルグリセリド含有油との混合物にすることができる。圧縮機52を用いてリサイクルされた二原子水素を加圧することができる。いくつかの実施態様では、重い炭化水素リサイクル留分43も回収して熱水分解反応システム18に、または水素処理システム29に、またはその両者にリサイクルすることができる。
【００２８】
ここで図2を参照すると、この明細書の実施態様に従ってトリアシルグリセリド含有油を原油前駆体および／または留出炭化水素燃料に変換する1つの方法を簡略化した流れ図が示されている。なお図1と同様の参照番号は同様の部分を表わす。この実施態様では、水素処理システム29は、熱水分解流出液28に含まれる原油前駆体および／または留出炭化水素燃料をさらに変換するための水素処理装置82を備えることができる。二原子水素と水を含む熱水分解流出液28、62を水素処理装置82に供給して適切な触媒と接触させ、望む最終生成物（例えばジェット、ナフサ、ディーゼルの沸点範囲の炭化水素）を生成させることができる。必要な場合には、流線86を通じて追加の二原子水素を熱水分解流出液に添加した後に水素処理を行なうことができる。
【００２９】
水素処理の後、水素処理された流出液84を流出液処理システム30に供給することができる。図2に示してあるように、流出液処理システム30は、冷却された流出液62に含まれるガス成分を液体成分から分離するためのドラム60を備えることができる。二原子水素とおそらくはいくらかの軽い反応副生成物を含むガス成分は、ドラム60から流線64を通じて回収することができる。液体成分はドラム60の底部に沈殿して二相系を形成する可能性がある。水は流線32を通じて回収し、炭化水素は流線68を通じて回収することができる。その後、ドラム 60から回収された水留分32は、上に記載したようにしてパージすること。および／または回収することができる。
【００３０】
ドラム 60での分離の後、流線64の中のガス生成物をガス分離装置70によって分離し、上述のようにリサイクルされる二原子水素留分36とオフガス留分44aにすることができる。次に、液体炭化水素生成物を分留装置80に供給して炭化水素を1種類以上の沸騰範囲留分（例えばナフサ38、ジェット40、ディーゼル41、減圧軽油（VGO）42）に分離することができる。分留装置80での分離によって追加のオフガス留分44bと水留分32bも生成する可能性がある。
【００３１】
追加の留分範囲燃料（例えば熱水分解反応装置18で生成するC20+炭化水素）を生成させるため、VGO留分42のいくらかを例えば流線43を通じてリサイクルして熱水分解反応装置18に戻し、さらに処理することができる。
【００３２】
図1と図2の実施態様に関して説明したように、水素処理の前に熱水分解流出液が相分離することはない。熱水分解ステップと、熱水分解流出液流全体の供給は、密にカップルしたシステムの中で実行され、そのシステムでは途中での分離はなされない。当業者は、担持触媒中の活性な金属は可溶化または仮焼されるという予想のもとに、このように密にカップルしたシステムは技術的に実現できないと考える可能性がある。しかし、パイロット・プラントでの数百時間を超える運転において、高濃度の水と高濃度の有機酸（すなわち典型的な石油供給原料で通常遭遇するよりもはるかに高レベルの酸素化物質）の存在下でさえ、触媒活性を維持できることが見いだされた。したがって、水、炭化水素、遊離脂肪酸、アルコール、未変換のトリアシルグリセリドを水素処理ゾーンに直接注入すると、望む留出燃料を生成させるのに必要な操作・処理ステップをユニット内で有意に減らすことができる。
【００３３】
水素処理装置82において有用な触媒として、炭化水素供給原料の水素処理または水素化分解に使用できる触媒が挙げられる。いくつかの実施態様では、水素処理触媒は、水素処理装置への供給物に含まれる酸素結合の水素化脱酸素および／または脱カルボキシル化をうまく実現して流出液28中の有機酸の濃度を低下させること、またはゼロにすることができる。いくつかの実施態様では、有機酸の99％超、99.9％超、99.99％超を水素処理触媒で変換することができる。
【００３４】
有用な可能性がある水素処理触媒として、水素化活性の触媒となることが知られている元素から選択した触媒が挙げられる。8族〜10族の元素および／または6族の元素から選択した少なくとも1種類の金属元素が一般に選択される。6族の元素には、クロム、モリブデン、タングステンが含まれる。8族〜10族の元素には、鉄、コバルト、ニッケル、ルテニウム、ロジウム、パラジウム、オスミウム、イリジウム、白金が含まれる。触媒に含まれる水素化成分の量は、全触媒の重量100部当たりの金属酸化物として計算すると、8族〜10族の金属元素では約0.5重量％〜約10重量％の範囲、6族の金属元素では約5重量％〜約25重量％の範囲が適切である。なお重量％は、硫化前の触媒の重量に基づく。触媒中の水素化成分は、酸化物および／または硫化物の形態で存在することができる。少なくとも6族の金属成分と8族の金属成分の組み合わせが（混合された）酸化物として存在している場合には、それを硫化処理した後に水素化分解での使用に適した状態になる。いくつかの実施態様では、触媒は、ニッケルとコバルトのうちの1種類以上の成分と、モリブデンとタングステンのうちの1種類以上の成分、または白金とパラジウムのうちの1種類以上の成分とを含んでいる。ニッケルとモリブデン、および／またはニッケルとタングステン、および／または白金、および／またはパラジウムを含む触媒が有用である。
【００３５】
いくつかの実施態様では、水素処理装置82は、2つ以上の触媒床または触媒層を備えることができ、第1の層として水素化分解触媒、第2の層として水素処理触媒が含まれる。
【００３６】
いくつかの実施態様では、層状触媒系は、あらゆる減圧軽油（VGO）範囲の熱水分解生成物の水素化分解、またはディーゼル範囲の炭化水素またはより軽い炭化水素への添加供給物の水素化分解に適した水素化分解触媒の床を含む下方触媒層を含むことができる。使用する水素化分解触媒として、熱水分解反応装置の中で形成されるアルカリ芳香族の脱芳香化を最少にするか減らすものを選択することもできる。この明細書の実施態様で使用できるVGO水素化分解触媒として、酸度の低いゼオライトに担持された1種類以上の貴金属が挙げられる。なおゼオライトの酸度は、各触媒粒子全体に広く分布している。例えばアメリカ合衆国特許第4,990,243号、第5,069,890号、第5,071,805号、第5,073,530号、第5,141,909号、第5,277,793号、第5,366,615号、第5,439,860号、第5,593,570号、第6,860,986号、第6,902,664号、第6,872,685号に記載されている1種類以上の触媒をこの明細書の実施態様で使用することができる。なおそれぞれの特許の内容は、この明細書に記載した水素化分解触媒に関し、参考としてこの明細書に組み込まれている。いくつかの実施態様では、VGO水素化分解を含めることで重い炭化水素の水素化分解をなくすことができるため、最終的な炭化水素生成物だけが、ディーゼル範囲の炭化水素とより軽い炭化水素を含んでいる。
【００３７】
当業者であれば、さまざまな触媒層は、その層にとって最適なレベルの金属と脱酸化を実現するには、単一の触媒だけで構成することはできず、異なる触媒の混合物で構成されることがわかるであろう。ゾーンの下部ではオレフィン結合水素化がいくらか起こるであろうが、酸素、窒素、イオウの除去が主に上方の層で起こる可能性がある。明らかに、追加の金属除去も起こるであろう。各層のために選択される具体的な触媒または触媒混合物、ゾーン内の層の数、各層の床における比例体積、選択する具体的な水素処理条件は、ユニットによって処理される供給原料、回収する望みの生成物、市場条件（例えば触媒のコスト）に依存するであろう。これらパラメータはすべて、石油処理産業に従事する当業者の能力範囲であるため、ここでこれ以上説明する必要はなかろう。
【００３８】
上記のシステムは単一の熱水分解反応装置18と単一の水素処理装置82の場合に説明したが、反応ゾーンには、直列または並列に配置した2つ以上の反応装置を設けることができる。同様に、バックアップ用の圧縮機、フィルタ、ポンプなども使用できる。さらに、圧縮機は、一段圧縮機または多段圧縮機が可能である。その圧縮機は、いくつかの実施態様では、プラントの構成に応じ、一連の段において単一のガス流を圧縮するのに使用すること、または別々のガス流を圧縮するのに使用することができる。
【００３９】
図2に関して上に説明したように、分留装置80を用いてさまざまな炭化水素留分を回収することができる。水素処理装置82が水素化分解触媒からなる床または層を含んでいる場合、重い炭化水素の生成を減らしたりなくしたりすることができる。重い炭化水素がないそのような実施態様では、分留装置80を用いてディーゼル留分をカラムから底部成分として回収することができ、重い炭化水素（例えばVGO）のリサイクルは不要である。VGOが生成する場合には、上述のようにそれをリサイクルすること、または低イオウ燃料油生成物として回収することができる。
【００４０】
上に説明したように、ここに開示した方法は、トリアシルグリセリド含有油を原油前駆体および／または留出炭化水素燃料に変換するためのシステムまたは装置で実施することができる。そのシステムは、供給されるトリアシルグリセリド含有油を水および二原子水素と混合するための1つ以上の混合装置を備えることができる。このシステムは、例えば、供給されるトリアシルグリセリド含有油を水と混合して油と水の混合物を形成するための第1の混合装置と、油と水のその混合物を二原子水素と混合して供給混合物を形成する第2の混合装置を備えることができる。
【００４１】
次に、得られた混合物を流路によって熱水分解反応装置に供給し、250℃〜約560℃の範囲の温度かつ約75バール超の圧力でその供給混合物を反応させ、反応流出液を生成させることができる。熱水分解反応装置は、例えば、反応条件（例えば約400℃〜約560℃の範囲の温度、または水の臨界温度よりも高い温度かつ水の臨界圧力よりも大きい圧力）にある熱水分解反応装置の出口の近傍で熱水分解反応装置の流出液をある温度に維持する構成にされた炉の中に1つ以上のチューブ状通路を備えることができる。炉として、例えば、電熱炉、または燃料ガス（例えば天然ガス、合成ガス、軽い炭化水素ガス（その中には熱水分解反応装置で生成されてその熱水分解反応装置から回収されるガスが含まれる））で加熱される炉が可能である。反応条件は、1つ以上のポンプ、圧縮機、熱交換器を用いて実現できる。別の実施態様では、熱水分解反応装置として断熱反応装置が可能である。次に、分離装置を用い、反応流出液に含まれる炭化水素から水と水素を分離することができる。
【００４２】
このシステムは、分離装置から回収した二原子水素を圧縮するための圧縮機と、圧縮された二原子水素および／または回収された水を、二原子水素を混合するための混合装置または水を混合するための混合装置にリサイクルする1つ以上の流路も備えることができる。このシステムは、熱水分解反応流出液の少なくとも一部を水素処理するための水素処理装置も備えることができる。
【００４３】
このシステムは、水素処理装置流出液に含まれる炭化水素を分留して、ナフサ、ジェット、ディーゼルいずれかの範囲で沸騰する1種類以上の炭化水素留分を形成するための分留装置も備えることができる。
【００４４】
このシステムは、熱水分解反応装置の中の反応温度と発熱を制御するため、水を熱水分解反応装置の中に注入するための1つ以上の流路を備えることができる。
【００４５】
上に説明したように、ここに開示した実施態様は、再生可能な供給原料をインフラストラクチャーに適合した留出燃料に変換する方法を提供する。例えばいくつかの実施態様では、回収されたジェット留分は、全酸数が、いくつかの実施態様では、1g当たりのKOHのmg数で表わして0.1未満であり；別の実施態様では、1g当たりのKOHのmg数で表わして0.015未満であり；別の実施態様では、1g当たりのKOHのmg数で表わして0.010未満である。ジェット留分は、いくつかの実施態様では、オレフィン含有量が約5体積％未満であり、芳香族の含有量が約25体積％未満である。特にこれらの特性により、この明細書の実施態様で生成されるジェット留分および／またはディーゼル留分を混合せずに燃料として直接用いることが可能になる。いくつかの実施態様では、水素処理反応ゾーンから回収された炭化水素液体生成物の全体を用い、軍事、ASTM、EN、ISOや、それと同等な燃料仕様に合致した留出燃料を生成させることができる。
【００４６】
この方法は、経済的に実現可能なやり方で商業規模にて実施することができる。この明細書の実施態様では、触媒が詰まることに関連した運転の問題に妨げられることなく、トリアシルグリセリド含有油を変換する熱効率を経済的に魅力的なやり方で最大にすることができる。熱水分解プロセスの間に水（例えば約5％の供給水）が水素分解反応で消費される可能性がある。水素反応装置では、生成したグリセリン副生成物の多くをさらに水素化してプロパンに変換することができる。二原子水素は水素処理ステップの間に消費されるため、生成物の比重の平均値を例えば約0.91から約0.81に低下させることができる。脱カルボキシル化反応によってCOxが形成され、その炭素損失によって液体生成物の質量収率が低下し、それと同等な体積収率がより低くなる可能性がある。実際の粗収率は、熱水分解法をどのようにして実施するかに応じて約75％〜約90％の範囲（例えば約80％〜84％の範囲）になろう。
【００４７】
ナフサ燃料、ジェット燃料、ディーゼル燃料は、ここに開示した方法で生成させることができる。沸点がより高い軽油材料も生成させることができ、この軽油材料は、C17〜C24の沸点範囲にあって高品質で水素含有量が多いパラフィンを含んでいる可能性がある。これらのより重い炭化水素を熱水分解反応装置にリサイクルしてさらに処理し、ナフサ、ジェット、ディーゼルの範囲の生成物を生成させることができる。燃料ガス（オフガス）も生成させることができる。それは、いくつかの実施態様では、プロセスの加熱に用いたり、水素の生成に用いたり、個別の生成物（LPG、エチレン、プロピレン、n-ブタン、イソ-ブタンなど）として回収したりすることができる。
【００４８】
ここに開示した実施態様によって生成した燃料は、シクロパラフィンと芳香族を含む可能性；および／または大きな密度を示す可能性；および／または大きなエネルギー密度を示す可能性；および／または優れた低温特性（凝固点、曇り点、流動点、粘度）を示す可能性；および／または自然な潤滑性を示す可能性；および／または広い範囲の炭化水素のタイプと石油に近い分子量を示す可能性；および／または優れた熱安定性を持つ可能性がある。したがってこれらの燃料は、対応する石油の真の“気軽に使える”類似体であり、現在の石油の仕様に合わせるために混合する必要はない。
【００４９】
熱水分解反応と水素処理をカップリングさせることが独自であり、その結果としてプロセス上の利点と経済的利点が多く生じる。利点として、例えば、熱水分解生成物の冷却と、ガス成分、油成分、水成分の分離が不要であること；および／または酸性水の精製と処理が不要であること；および／または追加の液体ポンピングと、水素反応装置居級物のための熱交換操作が不要であること；および／または熱損失が減少すること；および／または電力消費が減少することが挙げられる。
【００５０】
上述のように、トリアシルグリセリド含有油を含む再生可能な供給原料でここに開示した実施態様において有用なものは、カメリナ、カリナタ、レスクエレラ、フィサリア、ヤトロファ、カランジャ、モリンガ、ヤシ、ヒマ、ワタ、トウモロコシ、亜麻仁、ピーナツ、ダイズ、ヒマワリ、桐、ババスヤシ、カノラなどのトリアシルグリセリド含有油を含むか、シアバター、トール油、獣脂、廃棄植物油、藻類の油、ポンガミアのうちの少なくとも1種類からの少なくとも1種類のトリアシルグリセリド含有油を含んでいる可能性がある。
【００５１】
ここに開示した実施態様は、ジェット燃料とディーゼル燃料を選択的に生成させるため、高濃度のC20〜C24を有するトリアシルグリセリド含有油（例えばレスクエレラ、フィサリア、カメリナ、カリナタ）を含む再生可能な供給原料の選択的利用にも関する。
【００５２】
航空機燃料の需要が世界中で増えているため、航空機燃料を製造するため、原油以外の供給源として、石油、タール・サンド、オイル・シェール、石炭に由来する供給源がますます注目されるようになっている。そのような1つの供給源は、再生可能な供給原料と呼ばれているものである。そうした再生可能な供給原料の非限定的な例として、a）カノラ、ココナツ、トウモロコシ、綿実、亜麻仁、ブドウの実、オリーブ、ヤシ、ピーナツ、ベニバナ、ゴマ、シア、ダイズ、ヒマワリ、クルミ、ヤトロファなどの植物油；b）獣脂、ラード、バター脂肪などの動物の脂肪／油；c）グリース、使用済み調理用油、汚泥などの有機廃棄物がある。原油に変換するためのこれら供給原料に共通する特徴は、それら供給原料が、炭素数がC10〜C18の範囲の脂肪酸骨格を含むモノ-トリアシルグリセリド、ジ-トリアシルグリセリド、トリ-トリアシルグリセリドで構成されていることである。変換するのに適した他のクラスの化合物は、脂肪酸アルキルエステル、その中でも特に、脂肪酸メチルエステル（FAME）と脂肪酸エチルエステル（FAEE）である。グリセリド、脂肪酸、FAEEに含まれる脂肪族炭素鎖は、飽和していてもよいし、一不飽和、二不飽和、多不飽和のいずれかでもよく、後者のグループは、飽和基の鎖よりも反応性が大きい。
【００５３】
上記の再生可能な供給原料のいくつかに関する炭素数の分布を以下の表に示す。
【００５４】
【表１】
2015532343.tif 000003
【００５５】
上記の供給原料は、上述のように、さまざまな燃料の生成に使用することができる。しかし表1に掲載した供給原料は、クラッキング型の反応を促進する変換プロセスを実施するとき、ジェット燃料範囲の炭化水素をほとんど生成しないことがわかった。カギとなる情報は、これらの再生可能な供給原料には炭素数がC20〜C24の範囲の脂肪酸が実質的に欠けていることである。再生可能なトリアシルグリセリド含有供給原料を熱分解プロセス、熱水プロセス（熱水液化、または触媒を用いた熱水分解）、接触水素化熱分解プロセス、接触分解プロセスのいずれかによって処理するとき、C10〜C18脂肪酸のクラッキングによってナフサとLPGの範囲の炭化水素が選択的に多く生成し、ジェット燃料範囲の炭化水素はあまり選択されないか選択されない。それを以下の例に見ることができる。
【００５６】
非常に一般的なトリアシルグリセリドのアシル骨格の典型例としてオレイン酸（C18）を用いると、次のようになる。
C18H36O2 →  C10H20＋C8H16＋（いくらかの酸素含有化合物）
ジェット範囲の前駆体の理論的（最大）収率は、100モル％（すなわち1モルの脂肪酸当たりの1モルのジェット範囲の炭化水素）、すなわち140/284＝49.3重量％である。
【００５７】
しかしより重いトリアシルグリセリドのアシル骨格の典型例としてエルカ酸（C22）を用いると、以下のようになる。
C22H44O2  →  C10H20＋C12H24［または2C11H22］＋（いくらかの酸素含有化合物）
ジェット範囲の前駆体の理論的（最大）収率は、200モル％（すなわち1モルの脂肪酸当たりの1モルのジェット範囲の炭化水素）、すなわち(140＋168)/340＝90.5重量％である。
【００５８】
要するに、クラッキング型の処理のもとでC20以上の脂肪酸は2モルのジェット範囲の生成物に分割できるのに対し、C18以下の脂肪酸からは、その化学量論により、沸点がより低くてより望ましくないナフサとLPGの範囲の炭化水素しか同時に生成されない。これは、C20+の脂肪酸に関してジェット範囲の収率がより高くなる可能性があることを意味する。実際には、植物油と動物油に由来するどのトリアシルグリセリドにも、C10〜C24の脂肪酸がある程度分布して含まれている。しかしカリナタ油とカメリナ油は、C20〜C24の範囲のトリアシルグリセリドの量が例外的に多いことが見いだされた。表2に示したように、カリナタは、55重量％を超えるC20〜C24脂肪酸骨格を含んでおり、カメリナは、25重量％を超えるC20〜C24脂肪酸骨格を含んでいる。逆に、表1に示した植物油は、C20以上の脂肪酸の含有量が非常に少ない。C20〜C24トリアシルグリセリドの含有量が多い可能性のある他の油として、特にレスクエレラ油とフィサリア油が挙げられる。
【００５９】
【表２】
2015532343.tif 000004
【００６０】
トリアシルグリセリドを含む大半の植物油と動物脂肪は、主な含有成分としてC14〜C18脂肪酸骨格を有するが、そのうちでC18脂肪酸が優勢であるため、最初にC14〜C18脂肪酸の水素化脱酸素を実施して、C14〜C18の範囲（脱カルボキシル化のためにはC13〜C17の範囲）のn-アルカンを生成させねばならない。次に、クラッキングによってより重い脂肪酸、すなわちC18パラフィンをジェット範囲にするには、独立した下流の水素化分解（と、ときには水素化異性体化）ステップが必要とされる。従来の選択的水素化分解技術は、C18のクラッキングによってC9以下のものを生成させることに限定されており、それに対応してLPGとナフサの範囲にするときに生成物が顕著に失われる。
【００６１】
ここに開示した実施態様は、ジェット燃料とディーゼル燃料を選択的に生成させることを目的として、C20〜C24の濃度が大きいトリアシルグリセリド含有油（例えばレスクエレラ、フィサリア、カメリナ、カリナタ）を含む再生可能な供給原料を選択的に利用することに関する。ここに開示した実施態様は、市場での変動する需要に合わせることを目的として、再生可能な供給原料を選択的に変えて炭化水素を生成させることにも関する。例えばガソリンの需要がピークである間は、C16〜C18トリアシルグリセリドをより多い割合で含む再生可能な供給原料、または再生可能な供給原料の混合物を用いることができる。ガソリンの需要がより少ない期間、またはジェット燃料の需要がより多い期間には、C20〜C24トリアシルグリセリドまたはC22〜C24トリアシルグリセリドをより多い割合で含む再生可能な供給原料、または再生可能な供給原料の混合物を用いることができる。
【００６２】
カリナタでは、オレフィン性トリアシルグリセリドの含有量が、合計して55％であるC22〜C24の含有量の95％を超えており、非常に望ましい。さらに、トリアシルグリセリドのクラッキング反応性は、炭素数が大きくなるにつれて増大する。これは、精度がより低い反応を利用してC20+のオレフィン性トリアシルグリセリドでC18以下のトリアシルグリセリドと同じ変換を実現できることを意味する。精度がより低い反応の利用により、分割された炭化水素の二次的熱変換反応も減少するため、LPGとナフサの範囲のより軽い炭化水素が生成する。あるいは反応の精度が同じだと、C20+のオレフィン性トリアシルグリセリドが、C18以下のトリアシルグリセリドよりも大きな割合で変換されることになる。
【００６３】
C20〜C24トリアシルグリセリドの使用により、ジェット範囲の炭化水素と、ジェット範囲の酸素化された前駆体の選択性が最大になることで、C20〜C24脂肪酸骨格成分の含有量が顕著に多いトリアシルグリセリド供給原料を利用する機会が増える。したがってジェット燃料生産能力が同じであれば、再生可能な供給物プラント全体の能力と、それに付随する資本コストは、C20〜C24脂肪酸骨格成分の含有量が有意により少ないトリアシルグリセリド供給原料と比べて顕著に低下する。
【００６４】
カリナタは、ジェット範囲の理論的収率を71.5重量％にできるのに対し、カメリナは、ジェット範囲の理論的収率を55重量％にすることができる。これらの値を、例えば表1に示した最も一般的な20種類の再生可能な供給源と比較すると、特にこれらの2種類は、他の再生可能な供給源と比べてはるかにジェット収率が大きいことがわかる。
【００６５】
さらに、カリナタの飽和／不飽和の比（18.7/1）は、表1に示した20種類の再生可能な供給原料の値よりもはるかに大きい。後者では、比の平均値はわずかに5.0/1である。オレフィン結合を含む不飽和トリアシルグリセリドは、熱分解、超臨界熱水分解、水熱液化、接触水素化熱分解、触媒変換の条件下で最も反応性が大きい。カリナタでは、オレフィン性トリアシルグリセリドの含有量は、合計が55％であるC22〜C24の含有量の95％を超えており、非常に望ましい。
【００６６】
図1と図2の実施態様に関して説明したように、ジェット生成トリアシルグリセリド含有油と水の混合物は、約250℃〜約560℃の範囲の温度かつ約75バール超の圧力で反応させて、トリアシルグリセリドの少なくとも一部を、ジェット燃料範囲の炭化水素と酸素化された前駆体のうちの1種類以上を含む炭化水素または炭化水素の混合物に変換することができる。いくつかの実施態様では、反応条件は、温度が水の超臨界温度よりも高く、圧力が水の超臨界圧力よりも高いというものである。その後、得られた反応流出液をさらに処理し、分離し、炭化水素生成物を回収することができる。
【００６７】
トリアシルグリセリド／水の混合物を形成するには、任意のやり方でトリアシルグリセリド含有油を水と混合することができる。トリアシルグリセリドと水の混合物は、水とトリアシルグリセリドの質量比を、いくつかの実施態様では約0.001：1〜約1：１の範囲にすること、別の実施態様では約0.01：1〜約1：１の範囲にすること、さらに別の実施態様では約0.1：1〜約1：１の範囲にすることができる。
【００６８】
次に、触媒を用いて反応流出液を直接水素処理し、水を途中で分離することなく、追加のジェット燃料範囲の炭化水素を形成すること、および／または反応流出液に含まれる前駆体をジェット燃料範囲の炭化水素に変換することができる。いくつかの実施態様では、上記のトリアシルグリセリド含有油は、熱水分解の後、水素処理ゾーンにおいて他の再生可能な炭化水素供給原料とともに処理することができる。
【００６９】
水素処理の後、水素処理流出液を処理して水を分離し、炭化水素を分留して1種類以上の炭化水素留分（例えばジェットの範囲で沸騰する留分）にすることができる。次に、上に説明したように水をリサイクルしてトリアシルグリセリド含有油と混合することができる。
【００７０】
ジェット燃料の範囲の炭化水素を生成させるためのトリアシルグリセリドの反応として、主に、水を触媒とした1つ以上の熱水分解反応が可能であり、いくつかの実施態様では約250℃〜約560℃の範囲の反応温度で実施することができる。反応条件には、50バール〜300バールの範囲の圧力も含めることができる。温度および／または圧力の条件は、水の臨界温度よりも高くなるように、および／または水の臨界圧力よりも大きくなるように選択することができる。すべての実施態様において、熱水分解反応は、触媒（例えば無機不均一系触媒）を添加せずに実施することができる。
【００７１】
上述のように、ここに開示した実施態様を利用してトリアシルグリセリド含有油からジェット範囲の燃料生成物を選択的に生成させることができる。ジェット範囲の燃料生成物を生成させるため、トリアシルグリセリド含有油を原油前駆体および／または蒸留炭化水素燃料に変換するためのここに開示した実施態様による方法は、1種類以上のトリアシルグリセリド含有油に変換プロセスを実施してトリアシルグリセリドの少なくとも一部を変換し、ナフサ、ディーゼル、ジェットいずれかの範囲で沸騰するイソオレフィン、イソパラフィン、シクロオレフィン、シクロパラフィン、芳香族のうちの1種類以上を含む反応生成物を生成させる操作を含むことができる。
【００７２】
生成するジェット燃料の範囲の生成物の割合は、上に指摘したように、市場の需要に合わせて変えることができる。したがってここに開示した方法は、トリアシルグリセリド含有油の組成を変えることにより、ジェット範囲の生成物の収率を選択的に変化させる操作も含むことができる。例えば変える操作は、トリアシルグリセリド含有油に含まれるカメリナ系油、カリナタ系油、レスクエレラ系油、フィサリア系油のいずれか、またはこれらの混合物の含有量を増減させる操作を含むことができる。大きな理論値のジェット収率をこれらの油で実現できるため、ここに開示した方法から大きなジェット収率を達成することと、ジェット収率生成物の割合をうまく変化させることが可能になる。
【００７３】
望む高収率のジェット範囲の生成物を得るためにこの明細書の実施態様で利用できる変換プロセスには、熱分解プロセス、水熱液化プロセス、超臨界熱水分解プロセス、接触水素化熱分解プロセス、接触分解プロセスのうちの1つ以上が含まれる。例えば熱分解プロセスは、固定床反応装置、流動床反応装置、噴流床反応装置いずれかの中で、不活性な材料とともに、または不活性な材料なしで、約300℃〜600℃の範囲の温度にて、約2〜1000/時の範囲の空間速度で、同時に供給する水なしに実施することができる。水熱液化プロセスは、固定床反応装置、流動床反応装置、噴流床反応装置いずれかの中で、不活性な材料とともに、または不活性な材料なしで、約150℃〜370℃の範囲の温度にて、約50〜200バールの範囲の圧力で、約3〜約60分間の範囲の滞留時間にして、同時に供給する水の存在下で実施することができる。超臨界熱水分解は、固定床反応装置、流動床反応装置、噴流床反応装置いずれかの中で、不活性な材料とともに、または不活性な材料なしで、約3〜約60分間の範囲の滞留時間にして、ほぼ臨界水条件または超臨界水条件で実施することができる（例えば約200バール超の圧力および／または約370℃超の温度）。接触分解プロセスは、噴流床反応装置の中で、流体クラッキング触媒を用いて約350℃〜600℃の範囲の温度で実施することができる。接触水素化熱分解は、固定床反応装置、流動床反応装置、スラリー相反応装置、噴流床反応装置いずれかの中で、担持されているか担持されていない卑金属酸化物、シリカ-アルミナ、ゼオライト、金属リン化物、ハイドロタルク石のうちの1種類以上を含む触媒を用い、約300℃〜600℃の範囲の温度にて、約1〜100バールの範囲の圧力で実施することができる。いくつかの実施態様では、変換プロセスは、熱水分解プロセスと接触分解プロセスの組み合わせを含んでいる。
【００７４】
上記の方法のうちの1つ以上によってトリアシルグリセリド油を変換した後、回収した炭化水素またはその一部（例えばジェット燃料範囲の炭化水素、またはC5〜終点炭化水素）を水素処理することができる。例えば炭化水素を、反応条件で、担持されているか担持されていなくて、オレイン結合の飽和、水素化脱酸素、水素化脱窒素、水素化硫化のうちの少なくとも1つに関する活性を有する1種類の触媒と接触させること、または金属および／または金属酸化物および／または金属硫化物を含む複数の触媒と接触させることによって反応生成物またはその一部を水素処理してジェット燃料範囲の炭化水素をアップグレードし、Jet A、Jet A-1、JP-4、JP-5、JP-6、JP-7、JP-8、SPK、HEFAというジェット燃料のうちの1種類以上を含む仕様ジェット燃料生成物を生成させることができる。いくつかの実施態様では、ジェット留分は、全酸数が、1g当たりのKOHのmg数で表わして0.1未満であるという特性と、約5体積％未満のオレフィンと約25体積％未満の芳香族を含むという特性のうちの1つ以上の特性を持つことができる。そのような場合、この明細書の実施態様に従ってトリアシルグリセリド含有油から生成させたジェット燃料範囲の生成物は、混合せずに直接ジェット燃料として使用できる。
【００７５】
別の1つの特徴では、ここに開示した実施態様を利用して、上に説明したように、例えば熱水分解を通じ、ジェット燃料範囲の生成物を選択的に生成させることができる。ジェット燃料範囲の生成物を比較的大きな割合で生成させるため、トリアシルグリセリド含有油を原油前駆体および／または蒸留炭化水素燃料に変換するためのここに開示した実施態様による熱水分解プロセスは、水と、二原子水素と、少なくとも20重量％のC20〜C24脂肪酸を含むトリアシルグリセリド含有油とを含む混合物を約250℃〜約560℃の範囲の温度かつ約75バール超の圧力で反応させてトリアシルグリセリドの少なくとも一部を変換し、水と、イソオレフィン、イソパラフィン、シクロオレフィン、シクロパラフィン、芳香族のうちの1種類以上とを含む反応流出液を回収し；その反応流出液を水素処理して水素処理された流出液を形成する操作を含むことができる。
【００７６】
いくつかの実施態様では、トリアシルグリセリド含有油のジェット収率の理論値は少なくとも50重量％（例えば約50重量％〜約75重量％の範囲）である。いくつかの実施態様では、トリアシルグリセリド含有油は、カメリナ油、カリナタ油、レスクエレラ油、フィサリア油と、これらの混合物から選択した再生可能な油で構成すること、または主にこれらの再生可能な油で構成することができる。
【実施例】
【００７７】
二原子水素を外部から同時に供給することの効果を調べるため、触媒を用いた水素熱分解（CH）反応を2回実施した。反応は、同じ反応系の中で、以下の条件下でほぼ同じ動作圧力と動作温度にて実施した。
【００７８】
【表３】
2015532343.tif 000005
【００７９】
供給するカリナタ油１gにつき丁度0.26リットルの二原子水素を同時に供給することにより、トリアシルグリセリド（TAG）供給物に関するTAG変換率は11％超増大した。これは、変換性能が相対的に16％超増加したことと同等である。また、TAG供給物に関して全芳香族収率は約5％増加した。これは、芳香族の生成性能が相対的に15％超増加したことと同等である。芳香族、特にジェット燃料留分に含まれる芳香族は、典型的には、石油由来の燃料の中に最大で25液体体積％まで存在している。したがって二原子水素を外部から同時に供給することの別の利点は、特にジェット燃料留分に含まれる芳香族の生成率が増大することである。表に示した全芳香族の収率は、熱水分解した原油全体に対する％として表わしてあり、これらの値は、同等なジェット燃料の組成で補正しても、ジェット燃料留分の中に相変わらず最大で25液体体積％未満である。2回の反応で反応温度がわずかに異なっていたが、温度だけで変換率と芳香族の収率の大きな変化を説明することはできない。これは、水素の同時供給に大きな利点があることを示している。
【００８０】
上述のように、ここに開示した実施態様により、再生可能な供給原料をインフラストラクチャーに適したジェット範囲の燃料に変換する方法が提供される。C20〜C24トリアシルグリセリドを用いるとジェット範囲の炭化水素とジェット範囲の前駆体の選択性が最大になるため、C20〜C24脂肪酸骨格成分を顕著により多く含むトリアシルグリセリド-供給原料を利用する機会が増える。したがってジェット燃料生産能力が同じであれば、再生可能な供給物プラント全体の能力と、それに付随する資本コストは、C20〜C24脂肪酸骨格成分の含有量が有意により少ないトリアシルグリセリド供給原料と比べて顕著に低下する。
【００８１】
ここに開示した方法は、経済的に実現可能なやり方で商業規模にて実施することができる。この明細書の実施態様では、触媒が詰まることに関連した運転の問題に妨げられることなく、トリアシルグリセリド含有油を変換する熱効率を経済的に魅力的なやり方で最大にすることができる。熱水分解プロセスの間に水（例えば約5％の供給水）が水素分解反応で消費される可能性がある。水素処理装置では、生成したグリセリン副生成物の多くをさらに水素化してプロパンに変換することができる。脱カルボキシル化反応によってCOxが形成され、その炭素損失によって液体生成物の質量収率が低下し、それと同等な体積収率がより低くなる可能性がある。
【００８２】
ジェット燃料の範囲の炭化水素と酸素化された前駆体は、ここに開示した方法で生成させることができる。ここに開示した実施態様によって生成した燃料は、シクロパラフィンと芳香族を含む可能性；および／または大きな密度を示す可能性；および／または大きなエネルギー密度を示す可能性；および／または優れた低温特性（凝固点、曇り点、流動点、粘度）を示す可能性；および／または自然な潤滑性を示す可能性；および／または広い範囲の炭化水素のタイプと石油に近い分子量を示す可能性；および／または優れた熱安定性を持つ可能性がある。したがってこれらの燃料は、対応する石油の真の“気軽に使える”類似体であり、現在の石油の仕様に合わせるために混合する必要はない。
【００８３】
開示内容には限られた数の実施態様しか含まれていないが、この開示内容の恩恵を受ける当業者であれば、本発明の範囲を逸脱することなく他の実施態様を導出できることがわかるであろう。したがって本発明の範囲は、添付の請求項によってのみ制限されるべきである。
【図１】
2015532343.tif 000006
【図２】
2015532343.tif 000007
【誤訳訂正書】
【提出日】平成27年7月8日(2015.7.8)
【誤訳訂正１】
【訂正対象書類名】明細書
【訂正対象項目名】全文
【訂正方法】変更
【訂正の内容】
【発明の詳細な説明】
【技術分野】
【０００１】
ここに開示する実施態様は、全体として、トリアシルグリセリドを含む植物脂肪含有油または動物脂肪含有油から留出燃料などの有用な炭化水素を生成させることに関する。より具体的には、ここに開示する実施態様は、トリアシルグリセリドを含む植物脂肪含有油または動物脂肪含有油からジェット燃料範囲の炭化水素を生成させることに関する。
【背景技術】
【０００２】
作物、動物の脂肪、植物由来の廃棄油、動物由来の廃棄油などに由来するトリアシルグリセリド含有油の熱水分解には、多くのタイプの化学反応が関与する。一例として、いくつかの従来法は、触媒を用いてC10〜C18トリアシルグリセリド含有油を水素処理することで、トリアシルグリセリド含有油に含まれる不飽和脂肪族鎖を直鎖パラフィンに変換すると同時に、酸基とグリセリル基の脱酸素／脱カルボキシル化により水、二酸化炭素、およびプロパンを形成している。その後、2つの下流プロセスが必要とされる。それは、（a）n-パラフィンの骨格を異性体化してイソパラフィンにし、仕様グレードのディーゼル燃料を生成させるプロセスと、（b）ディーゼル範囲のn-パラフィンとイソパラフィンを水素化分解して炭化水素にし、仕様グレードのジェット燃料を生成させるプロセスである。
【０００３】
例えばアメリカ合衆国特許第7,691,159号には、超臨界水条件において圧縮された熱水の存在下でトリアシルグリセリドをより小さな有機酸に変換する熱水分解法が開示されている。この方法を実施している間にトリアシルグリセリドの骨格の再配置反応が起こる。
【発明の概要】
【０００４】
1つの特徴では、ここに開示した実施態様は、トリアシルグリセリド含有油を原油前駆体および／または留出炭化水素燃料に変換する1つの方法に関する。この方法は、水と、二原子水素と、少なくとも20重量％のC20〜C24脂肪酸を含むトリアシルグリセリド含有油とを含む混合物を約250℃〜約560℃の範囲の温度かつ約75バール超の圧力で反応させてトリアシルグリセリドの少なくとも一部を変換し、水と、イソオレフィン、イソパラフィン、シクロオレフィン、シクロパラフィン、芳香族のうちの1種類以上とを含む反応流出液を回収する操作；その反応流出液を水素処理して水素処理された流出液を形成する操作を含むことができる。
【０００５】
別の1つの特徴では、ここに開示した実施態様は、トリアシルグリセリド含有油を原油前駆体および／または留出炭化水素燃料に変換する1つの方法に関する。この方法は、1種類以上のトリアシルグリセリド含有油に対して変換プロセスを実行してトリアシルグリセリドの少なくとも一部を変換し、ナフサ燃料、ディーゼル燃料、およびジェット燃料の範囲で沸騰するイソオレフィン、イソパラフィン、シクロオレフィン、シクロパラフィン、芳香族のうちの1種類以上を含む反応生成物を生成させる操作；そのトリアシルグリセリド含有油の組成を変えることにより、ジェット範囲の生成物の収率を選択的に変化させる操作を含むことができる。変える操作には、例えば、トリアシルグリセリド含有油の中のカメリナ系油、カリナタ系油、レスクエレラ系油、フィサリア系油のいずれか、またはこれらの混合物の含有量を増減させる操作が含まれてよく、この操作によりこの方法の全体的なジェット収率に影響が及ぶ。
【０００６】
他の特徴と利点は、以下の説明と添付の請求項に現われるであろう。
【図面の簡単な説明】
【０００７】
【図１】この明細書の実施態様による1つの方法を簡略化した流れ図である。
【図２】この明細書の実施態様による1つの方法を簡略化した流れ図である。
【発明を実施するための形態】
【０００８】
1つの特徴では、ここに開示した実施態様は、全体として、トリアシルグリセリド含有油（例えば再生可能な供給原料）から有用な炭化水素（例えばパラフィン）を生成させることに関する。別の1つの特徴では、ここに開示した実施態様は、トリアシルグリセリド含有油を原油前駆体および／または留出炭化水素燃料に変換する方法とシステムに関する。
【０００９】
トリアシルグリセリド含有油を含む再生可能な供給原料でここに開示した実施態様において有用なものには、脂肪酸、飽和トリアシルグリセリド、および1つ以上のオレフィン結合を有するトリアシルグリセリドが含まれている可能性がある。トリアシルグリセリド含有油は、例えば、カメリナ、カリナタ、レスクエレラ、フィサリア、ヤトロファ、カランジャ、モリンガ、ヤシ、ヒマ、ワタ、トウモロコシ、亜麻仁、ピーナツ、ダイズ、ヒマワリ、桐、ババスヤシ、カノラのうちの少なくとも1種類からの油を含むか、シアバター、トール油、獣脂、廃棄植物油、藻類の油、ポンガミアのうちの少なくとも1種類からの少なくとも1種類のトリアシルグリセリド含有油を含んでいる可能性がある。
【００１０】
トリアシルグリセリド含有油と、水と、二原子水素H2として供給される水素との混合物は、約250℃〜約560℃の範囲の温度かつ約75バール超の圧力で反応させてトリアシルグリセリドの少なくとも一部を変換し、1種類の炭化水素にするか、イソオレフィン、イソパラフィン、シクロオレフィン、シクロパラフィン、芳香族のうちの1種類以上を含む炭化水素の混合物にすることができる。いくつかの実施態様では、反応条件は、温度が水の超臨界温度よりも高く、圧力が水の超臨界圧力よりも高いというものである。その後、得られた反応流出液をさらに処理し、分離し、炭化水素生成物を回収することができる。
【００１１】
トリアシルグリセリドと水と水素の混合物を形成するには、トリアシルグリセリド含有油を水および二原子水素と任意の順番で混合してもよいし、トリアシルグリセリド含有油を水と二原子水素の混合物と混合してもよい。
【００１２】
超臨界水の熱水分解反応条件においてプロトン性水素をその場で生成させることができる。例えばアメリカ合衆国特許第7,691,159号では、ダイズ油1モルにつき1.5モルのH2を水から取り出し、得られた炭化水素に添加することが仮定されている。このことを、同等な二原子水素を単位として表してはいるものの、その場で得られるプロトン性水素原子は素早く反応し、トリアシルグリセリドに由来するカルボキシレート分子に組み込まれると考えられる。ここに開示した実施態様で用いる二原子水素供給物が、熱水分解反応装置の中で水またはそれ以外の諸成分からその場で生成させることのできるあらゆる単原子水素に加わることで、追加の運転経費がかかるものの、熱水分解反応装置の中での反応性を大きくするとともに、得られる生成物のH/C比を大きくするという利点を提供することができる。外部から供給される二原子水素は、プロセスの性能を制御する独立な手段も提供する。この制御は、その場で単原子水素を生成させるだけでは実現できない。なぜならこの制御は、熱水分解反応条件と、トリアシルグリセリド含有供給原料の組成に依存しているからである。結局、二原子水素を超臨界水および再生可能な油供給物とともに触媒式熱水分解反応装置に外部から供給することで、その場での単原子水素生成だけの場合と比べて異なる方法、異なる反応メカニズム、およびよりよい性能が提供される。
【００１３】
触媒式熱水分解反応装置に外部から二原子水素を同時に供給することの別の利点は、触媒式熱水分解反応の間に形成されるあらゆる遊離ラジカルを安定化させることにより、そうしない場合にこれら遊離ラジカルが凝縮する結果として形成される可能性のあるオリゴマー材料および／またはポリマー材料（コークスまたはコークス前駆体またはコークス堆積物と呼ばれることがしばしばある）の形成が回避されるという水素キャッピング効果である。したがって二原子水素を外部から同時に供給すると、二原子水素ガスを同時に供給しない方法と比べて流れ作業の操作性が改善される。
【００１４】
いくつかの実施態様では、トリアシルグリセリドと水と二原子水素の混合物を形成するため、トリアシルグリセリド含有油を最初に水と混合してトリアシルグリセリドと水の混合物を形成する。次に、得られたトリアシルグリセリドと水の混合物を二原子水素と混合し、トリアシルグリセリドと水と二原子水素の混合物を形成する。
【００１５】
トリアシルグリセリドと水と二原子水素の混合物は、水とトリアシルグリセリドの質量比を、いくつかの実施態様では約0.001：1〜約1：１の範囲にすること、別の実施態様では約0.01：1〜約1：１の範囲にすること、さらに別の実施態様では約0.1：1〜約1：１の範囲にすることができる。
【００１６】
トリアシルグリセリドと水と二原子水素の混合物は、二原子水素とトリアシルグリセリドの質量比を、いくつかの実施態様では約0.001：1〜約1：１の範囲にすること、別の実施態様では約0.005：1〜約0.5：１または1：1の範囲にすること、別の実施態様では約0.01：1〜約0.5：１の範囲にすること、さらに別の実施態様では約0.1：1〜約0.5：１の範囲にすることができる。いくつかの実施態様では、二原子水素とトリアシルグリセリドの質量比は、約0.1：1〜約0.2：１の範囲にすることができる。いくつかの実施態様では、供給する全二原子水素の割合は、熱水分解においてと、密にカップルした下流プロセスのあらゆるステップ（例えば水素処理）において必要な水素の一部または全部が供給されるのに十分であるようにすることができる。
【００１７】
次に、反応流出液を、水、未反応の二原子水素、または他の軽いガス副生成物を途中で分離することなく、直接に触媒を用いて水素処理し、追加の留出範囲炭化水素を形成する、および／または反応流出液に含まれる前駆体を留出範囲炭化水素に変換することができる。均一系触媒を用いた熱水分解により、原油が生成する。この原油は、不均一系触媒を用いた水素処理により、インフラストラクチャーに適合した有用な留出燃料に変換する必要がある。触媒を用いた水素処理法は、ヘテロ原子の除去と二重結合飽和反応の両方に対する活性を有する担持触媒を用いて高圧（例えば500から2000 psigまたはそれを超える）で実施することができる。化学量論的条件を超える二原子水素ガスの過剰な流れも必要とされ、触媒を用いた熱水分解に由来する原油の供給原料の場合には、1バレルにつき1000〜2000 scfの範囲にすることができる。後者の値は、再生可能な供給原料のタイプと、触媒を用いた熱水分解反応の条件に依存する。過剰な二原子水素ガスが必要なのは、a）望む水素処理反応を大きな変換率で実行するためと；b）管理できない発熱を制御するための熱シンクを提供するためである（熱シンクがないと、水素処理反応の大きな熱から管理できない発熱が生じる可能性がある）。断熱温度上昇、すなわち水素処理触媒床を横断して生成物流出液流に入る反応物質流からの温度上昇は、消費される1000標準立方フィートの水素につき約180〜200°Fの大きさに達する可能性がある。二原子水素を熱水分解反応装置に外部から同時に供給することの1つの利点は、触媒式熱水分解反応装置からの流出ガス流に含まれる二原子水素が、下流の触媒式水素処理反応装置に必要な二原子水素ガスの供給量の一部またはすべてを提供できることと、上述のように触媒式熱水分解反応装置そのものの中での反応を促進させうることである。
【００１８】
いくつかの実施態様では、上記のトリアシルグリセリド含有油は、熱水分解の後、水素処理ゾーンにおいて、他の炭化水素供給原料（例えば常圧軽油（AGO）、減圧軽油（VGO））や、石油、シェール油、タール・サンド、石炭由来の油、有機廃棄油などに由来する他の供給物と同時に処理することができる。
【００１９】
水素処理の後、水素処理した流出液を処理してその流出液から水、未反応の二原子水素、および軽いガスを分離し、炭化水素を分留して1種類以上の炭化水素留分（例えばナフサ、ディーゼル、またはジェットの範囲に沸点がある留分）を得ることができる。次に、上述のように水と二原子水素をリサイクルしてトリアシルグリセリド含有油と混合することができる。
【００２０】
炭化水素を生成させるためのトリアシルグリセリドの主な反応として、水を触媒とした1種類以上の熱水分解反応が可能であり、約250℃〜約560℃の範囲、いくつかの実施態様では約375℃〜約550℃の範囲、別の実施態様では約425℃〜約525℃の範囲の反応温度で実施することができる。反応条件には、75バール超、いくつかの実施態様では150バール超、別の実施態様では200バール超、いくつかの実施態様では約75バール〜約300バール、別の実施態様では約150バール〜約250バールの圧力も含めることができる。温度および／または圧力の条件は、水の臨界温度よりも高い温度、および／または臨界圧力よりも大きい圧力になるよう選択することができる。すべての実施態様において、熱水分解反応は、触媒（例えば無機不均一系触媒、または可溶性金属触媒）を添加せずに実施することができる。
【００２１】
ここで図1を参照すると、この明細書の実施態様に従ってトリアシルグリセリド含有油を原油前駆体および／または留出炭化水素燃料に変換する1つの方法を簡略化した流れ図が示されている。トリアシルグリセリド含有油は流線2を通じてこのシステムに供給することができ、必要に応じてフィルタ4で濾過された後に供給物タンク6に保管される。その後、トリアシルグリセリド含有油はポンプ8によって送られ、流線10を通じて供給される水と混合することができる。トリアシルグリセリド含有油と水の混合は、混合装置（例えば混合ティー、撹拌容器、イン-ライン・ミキサー、または当業者に知られている他の混合装置）の中で実施することができる。
【００２２】
次に、トリアシルグリセリドと水の混合物12は、流線14を通じて供給される二原子水素と組み合わされて、トリアシルグリセリドと水と二原子水素の混合物16を形成することができる。次に、混合物16は熱水分解反応装置18に供給されて、トリアシルグリセリドの少なくとも一部を留出炭化水素またはその前駆体に変換するのに十分な時間にわたって反応条件に維持されることができる。反応条件として、約250℃〜約560℃の範囲の温度かつ少なくとも75バールの圧力を挙げることができる。トリアシルグリセリドを変換するために反応装置18の中に滞留させる必要のある時間は、反応条件と、使用する具体的なトリアシルグリセリド含有油によって異なる可能性がある。いくつかの実施態様では、反応装置18の中での滞留時間として、約3〜約6分間の範囲が可能である。供給物の温度を反応条件まで上昇させるため、特に、供給物-流出液交換器20と、トリアシルグリセリドと水の混合物12を加熱するための間接的熱交換器22と、トリアシルグリセリドと水と二原子水素の混合物16を加熱するための間接的熱交換器24のうちの1つ以上を通じて熱を供給物に供給することができる。熱水分解反応には、いくつかの発熱反応も含むことができる。それらの発熱反応によって追加の熱を供給することで、必要な反応温度条件を維持することと、外部からの熱入力の必要性を減らすことができる。いくつかの実施態様では、1つ以上の水供給ライン26を設けることにより、熱水分解反応装置18の中の発熱と温度または温度プロファイルを制御することができる。
【００２３】
熱水分解反応装置18の中でトリアシルグリセリドを反応させた後、反応流出液28は、供給物-流出液交換器20の中で供給物をあらかじめ加熱するのに用いることと、さらに処理して留出炭化水素を回収することができる。例えば、熱水分解流出液28はその後、その熱水分解流出液から水を分離せずに水素処理システム29に供給してさらに処理することができる。水素処理システム29は、熱水分解流出液の少なくとも一部を留出炭化水素に変換するため、水素変換触媒を含む1つ以上の反応装置（水素処理装置）（図示せず）を備えることができる。必要な場合には、流線27を通じて追加の二原子水素を水素処理システム29に添加できる。さらに、上に指摘したように、追加の炭化水素供給原料を熱水分解流出液28と同時に処理し、流線25を通じて水素処理システム29に供給することができる。再生不能な炭化水素供給原料には、例えば、石油留分；シェール油留分；タール・サンド由来の留分；石炭ガス化副生成油；石炭熱分解油などのうちの1種類以上が含まれている可能性がある。必要な場合には、流線31を通じていくらかのイオウ含有化合物（例えば適切な炭化水素溶媒に溶かした二硫化ジメチル）を水素処理システム29に供給し、触媒を最も活性な状態に維持することができる。
【００２４】
熱水分解反応装置と水素処理システムは“密にカップルさせること”ができ、熱水分解反応ステップからの流出液は相分離することなく（水、油、および二原子水素が分離されない）水素処理システム29に送られる。いくつかの実施態様では、熱水分解反応ステップからの流出液は、自生圧のもとで、すなわち通常の流れによって配管と供給物-流出液熱交換器において誘導される圧力低下によって起こり得る以外は熱水分解と水素処理の間にいかなる圧力低下もなしに、水素処理システム29に送ることができる。いくつかの実施態様では、熱水分解反応ステップからの流出液は、水素処理システムのより低い圧力レベルまで圧力を低下させて水素処理システムに送ることができる。それに加え、熱水分解反応装置に二原子水素が供給されるという理由で、水素処理には追加の二原子水素がほとんど必要ないか、まったく必要ないため、水素の圧縮または再圧縮の必要性が最少になるか不要になる。適した反応条件（圧力と、二原子水素とトリアシルグリセリドの比）と空間速度が理由で、二原子水素は反応システム全体を通過することができる。そのためシステムの性能が向上する（コーキングの割合の抑制、およびより大きな熱効率、およびより少ないコスト）。
【００２５】
次に、水素処理流出液34を流出液処理システム30に供給して反応生成物の分離と回収を行なうことができる。流出液処理システム30は、例えば、炭化水素から水32と二原子水素36を分離することができる。得られた炭化水素を分留し、2種類以上の留分にすることもできる。それらの留分には、図示したように、ナフサ38、ディーゼル41、またはジェット40の範囲で沸騰する留出炭化水素と、減圧軽油（VGO）42が含まれている可能性がある。オフガス44もいくらか生成する可能性がある。
【００２６】
上に指摘したように、熱水分解反応ステップからの流出液を密にカップルさせ、自生圧のもとで、すなわち通常の流れによって配管と供給物-流出液熱交換器において誘導される圧力低下によって起こり得る以外は熱水分解と水素処理の間にいかなる圧力低下もなしに、水素処理システム29に送ることができる。そのような実施態様では、水素処理システム29と分離システム30の間に圧力低下弁35を設けることにより、1つ以上の圧力低下ステップで自生圧（例えば水の超臨界圧以上の圧力）から水の超臨界圧よりも低い圧力（例えば大気圧）まで圧力を低下させることができる。この圧力低下システムは、軽いガス（二原子水素を含む）、水、および炭化水素の最初の相分離を提供することもできる。
【００２７】
水留分32の一部を必要に応じて流線33からパージすることで、有機酸またはそれ以外の反応副生成物が蓄積するのを回避できる。次に、上に説明したように、水留分32と二原子水素留分36をリサイクルし、必要に応じてそれぞれ補給水46および補給二原子水素48と組み合わせることにより、トリアシルグリセリド含有油との混合物にすることができる。圧縮機52を用いてリサイクルされた二原子水素を加圧することができる。いくつかの実施態様では、重い炭化水素リサイクル留分43も回収して熱水分解反応システム18に、または水素処理システム29に、またはその両者にリサイクルすることができる。
【００２８】
ここで図2を参照すると、この明細書の実施態様に従ってトリアシルグリセリド含有油を原油前駆体および／または留出炭化水素燃料に変換する1つの方法を簡略化した流れ図が示されている。なお図1と同様の参照番号は同様の部分を表わす。この実施態様では、水素処理システム29は、熱水分解流出液28に含まれる原油前駆体および／または留出炭化水素燃料をさらに変換するための水素処理装置82を備えることができる。二原子水素と水を含む熱水分解流出液28、62を水素処理装置82に供給して適切な触媒と接触させ、望む最終生成物（例えばジェット、ナフサ、およびディーゼルの沸点範囲の炭化水素）を生成させることができる。必要な場合には、流線86を通じて追加の二原子水素を熱水分解流出液に添加した後に水素処理を行なうことができる。
【００２９】
水素処理の後、水素処理された流出液84を流出液処理システム30に供給することができる。図2に示してあるように、流出液処理システム30は、冷却された流出液62に含まれるガス成分を液体成分から分離するためのドラム60を備えることができる。二原子水素とおそらくはいくらかの軽い反応副生成物を含むガス成分は、ドラム60から流線64を通じて回収することができる。液体成分はドラム60の底部に沈殿して二相系を形成する可能性がある。水は流線32を通じて回収し、炭化水素は流線68を通じて回収することができる。その後、ドラム 60から回収された水留分32は、上に記載したようにしてパージすることおよび／または回収することができる。
【００３０】
ドラム 60での分離の後、流線64の中のガス生成物をガス分離装置70によって分離し、上述のようにリサイクルされる二原子水素留分36とオフガス留分44aにすることができる。次に、液体炭化水素生成物を分留装置80に供給して炭化水素を1種類以上の沸騰範囲留分（例えばナフサ38、ジェット40、ディーゼル41、および減圧軽油（VGO）42）に分離することができる。分留装置80での分離によって追加のオフガス留分44bと水留分32bも生成する可能性がある。
【００３１】
追加の留出範囲燃料（例えば熱水分解反応装置18で生成するC20+炭化水素）を生成させるため、VGO留分42のいくらかを例えば流線43を通じてリサイクルして熱水分解反応装置18に戻し、さらに処理することができる。
【００３２】
図1と図2の実施態様に関して説明したように、水素処理の前に熱水分解流出液が相分離することはない。熱水分解ステップと、熱水分解流出液流全体の供給は、密にカップルしたシステムの中で実行され、そのシステムでは途中での分離はなされない。当業者は、担持触媒中の活性な金属は可溶化または加熱分解されるという予想のもとに、このように密にカップルしたシステムは技術的に実現できないと考える可能性がある。しかし、パイロット・プラントでの数百時間を超える運転において、高濃度の水と高濃度の有機酸（すなわち典型的な石油供給原料で通常遭遇するよりもはるかに高レベルの酸素化物質）の存在下でさえ、触媒活性を維持できることが見いだされた。したがって、水、炭化水素、遊離脂肪酸、アルコール、および未変換のトリアシルグリセリドを水素処理ゾーンに直接注入すると、望む留出燃料を生成させるのに必要な操作および処理ステップをユニット内で有意に減らすことができる。
【００３３】
水素処理装置82において有用な触媒として、炭化水素供給原料の水素処理または水素化分解に使用できる触媒を挙げることができる。いくつかの実施態様では、水素処理触媒は、水素処理装置への供給物に含まれる酸素結合の水素化脱酸素および／または脱カルボキシル化をうまく実現して流出液28中の有機酸の濃度を低下させること、またはゼロにすることができる。いくつかの実施態様では、有機酸の99％超、99.9％超、または99.99％超を水素処理触媒で変換することができる。
【００３４】
有用な可能性がある水素処理触媒として、水素化活性の触媒となることが知られている元素から選択した触媒が挙げられる。8族〜10族の元素および／または6族の元素から選択した少なくとも1種類の金属成分が一般に選択される。6族の元素には、クロム、モリブデン、およびタングステンが含まれてよい。8族〜10族の元素には、鉄、コバルト、ニッケル、ルテニウム、ロジウム、パラジウム、オスミウム、イリジウム、および白金が含まれてよい。触媒に含まれる水素化成分の量は、全触媒の重量100部当たりの金属酸化物として計算すると、8族〜10族の金属成分では約0.5重量％〜約10重量％の範囲、6族の金属成分では約5重量％〜約25重量％の範囲が適切である。なお重量％は、硫化前の触媒の重量に基づく。触媒中の水素化成分は、酸化物および／または硫化物の形態で存在することができる。少なくとも6族の金属成分と8族の金属成分の組み合わせが（混合された）酸化物として存在している場合には、それを硫化処理した後に水素化分解での使用に適した状態になる。いくつかの実施態様では、触媒は、ニッケルとコバルトのうちの1種類以上の成分、およびモリブデンとタングステンのうちの1種類以上の成分、または白金とパラジウムのうちの1種類以上の成分を含んでいる。ニッケルとモリブデン、および／またはニッケルとタングステン、および／または白金、および／またはパラジウムを含む触媒が有用である。
【００３５】
いくつかの実施態様では、水素処理装置82は、2つ以上の触媒床または触媒層を備えることができ、第1の層として水素化分解触媒、第2の層として水素処理触媒が含まれる。
【００３６】
いくつかの実施態様では、層状触媒系は、あらゆる減圧軽油（VGO）範囲の熱水分解生成物の水素化分解、またはディーゼル範囲の炭化水素またはより軽い炭化水素への添加供給物の水素化分解に適した水素化分解触媒の床を含む下方触媒層を含むことができる。使用する水素化分解触媒として、熱水分解反応装置の中で形成されるアルキル芳香族の脱芳香化を最少にするか減らすように選択することもできる。この明細書の実施態様で使用できるVGO水素化分解触媒として、酸度の低いゼオライトに担持された1種類以上の貴金属が挙げられる。なおゼオライトの酸度は、各触媒粒子全体に広く分布している。例えばアメリカ合衆国特許第4,990,243号、第5,069,890号、第5,071,805号、第5,073,530号、第5,141,909号、第5,277,793号、第5,366,615号、第5,439,860号、第5,593,570号、第6,860,986号、第6,902,664号、および第6,872,685号に記載されている1種類以上の触媒をこの明細書の実施態様で使用することができる。なおそれぞれの特許の内容は、この明細書に記載した水素化分解触媒に関し、参照によりこの明細書に組み込まれている。いくつかの実施態様では、VGO水素化分解を含めることで重い炭化水素の水素化分解をなくすことができるため、最終的な炭化水素生成物だけが、ディーゼル範囲の炭化水素とより軽い炭化水素を含んでいる。
【００３７】
当業者であれば、さまざまな触媒層は、その層にとって最適なレベルの金属と脱酸素を実現するには、単一の触媒だけで構成することはできず、異なる触媒の混合物で構成される可能性があることがわかるであろう。ゾーンの下部ではオレフィン結合水素化がいくらか起こるであろうが、酸素、窒素、およびイオウの除去が主に上方の層で起こる可能性がある。明らかに、追加の金属除去も起こるであろう。各層のために選択される具体的な触媒または触媒混合物、ゾーン内の層の数、各層の床における比例体積、および選択する具体的な水素処理条件は、ユニットによって処理される供給原料、回収する望みの生成物、市場条件（例えば触媒のコスト）に依存するであろう。これらパラメータはすべて、石油処理産業に従事する当業者の能力範囲であるため、ここでこれ以上説明する必要はなかろう。
【００３８】
上記のシステムは単一の熱水分解反応装置18と単一の水素処理装置82の場合に説明したが、反応ゾーンには、直列または並列に配置した2つ以上の反応装置を設けることができる。同様に、バックアップ用の圧縮機、フィルタ、ポンプなども使用できる。さらに、圧縮機は、一段圧縮機または多段圧縮機が可能である。その圧縮機は、いくつかの実施態様では、プラントの構成に応じ、一連の段において単一のガス流を圧縮するのに使用すること、または別々のガス流を圧縮するのに使用することができる。
【００３９】
図2に関して上に説明したように、分留装置80を用いてさまざまな炭化水素留分を回収することができる。水素処理装置82が水素化分解触媒からなる床または層を含んでいる場合、重い炭化水素の生成を減らすことまたはなくすことができる。重い炭化水素がないそのような実施態様では、分留装置80を用いてディーゼル留分をカラムから底部成分として回収することができ、重い炭化水素（例えばVGO）のリサイクルは不要である可能性がある。VGOが生成する場合には、上述のようにそれをリサイクルすること、または低イオウ燃料油生成物として回収することができる。
【００４０】
上に説明したように、ここに開示した方法は、トリアシルグリセリド含有油を原油前駆体および／または留出炭化水素燃料に変換するためのシステムまたは装置で実施することができる。そのシステムは、トリアシルグリセリド含有油供給物を水および二原子水素と混合するための1つ以上の混合装置を備えることができる。このシステムは、例えば、トリアシルグリセリド含有油供給物を水と混合して油と水の混合物を形成するための第1の混合装置と、油と水のその混合物を二原子水素と混合して供給混合物を形成する第2の混合装置を備えることができる。
【００４１】
次に、得られた混合物を流路によって熱水分解反応装置に供給し、250℃〜約560℃の範囲の温度かつ約75バール超の圧力でその供給混合物を反応させ、反応流出液を生成させることができる。熱水分解反応装置は、例えば、反応条件（例えば約400℃〜約560℃の範囲の温度、または水の臨界温度よりも高い温度かつ水の臨界圧力よりも大きい圧力）にある熱水分解反応装置の出口の近傍で熱水分解反応装置の流出液をある温度に維持する構成にされた炉の中に1つ以上のチューブ状通路を備えることができる。炉として、例えば、電熱炉、または燃料ガス（例えば天然ガス、合成ガス、または軽い炭化水素ガス（その中には熱水分解反応装置で生成されてその熱水分解反応装置から回収されるガスが含まれる））で加熱される炉が可能である。反応条件は、1つ以上のポンプ、圧縮機、および熱交換器を用いて実現できる。別の実施態様では、熱水分解反応装置として断熱反応装置が可能である。次に、分離装置を用い、反応流出液に含まれる炭化水素から水と水素を分離することができる。
【００４２】
このシステムは、分離装置から回収した二原子水素を圧縮するための圧縮機と、圧縮された二原子水素および／または回収された水を、二原子水素を混合するための混合装置または水を混合するための混合装置にリサイクルする1つ以上の流路も備えることができる。このシステムは、熱水分解反応流出液の少なくとも一部を水素処理するための水素処理装置も備える。
【００４３】
このシステムは、水素処理装置流出液に含まれる炭化水素を分留して、ナフサ、ジェット、ディーゼルいずれかの範囲で沸騰する1種類以上の炭化水素留分を形成するための分留装置も備えることができる。
【００４４】
このシステムは、熱水分解反応装置の中の反応温度と発熱を制御するため、水を熱水分解反応装置の中に注入するための1つ以上の流路を備えることができる。
【００４５】
上に説明したように、ここに開示した実施態様は、再生可能な供給原料をインフラストラクチャーに適合した留出燃料に変換する方法を提供する。例えばいくつかの実施態様では、回収されたジェット留分は、全酸数が、いくつかの実施態様では、1g当たりのKOHのmg数で表わして0.1未満であり；別の実施態様では、1g当たりのKOHのmg数で表わして0.015未満であり；別の実施態様では、1g当たりのKOHのmg数で表わして0.010未満であってよい。ジェット留分は、いくつかの実施態様では、オレフィン含有量が約5体積％未満であり、芳香族の含有量が約25体積％未満であってよい。特にこれらの特性により、この明細書の実施態様で生成されるジェット留分および／またはディーゼル留分をブレンドせずに燃料として直接用いることが可能になる。いくつかの実施態様では、水素処理反応ゾーンから回収された炭化水素液体生成物の全体を用い、軍事、ASTM、EN、ISOや、それと同等な燃料仕様に合致した留出燃料を生成させることができる。
【００４６】
この方法は、経済的に実現可能なやり方で商業規模にて実施することができる。この明細書の実施態様では、触媒の汚損に関連した運転の問題に妨げられることなく、トリアシルグリセリド含有油を変換する熱効率を経済的に魅力的なやり方で最大にすることができる。熱水分解プロセスの間に水（例えば約5％の供給水）が加水分解反応で消費される可能性がある。水素処理装置では、生成したグリセリン副生成物の多くをさらに水素化してプロパンに変換することができる。二原子水素は水素処理ステップの間に消費されるため、生成物の比重の平均値を例えば約0.91から約0.81に低下させることができる。脱カルボキシル化反応によってCOxが形成され、その炭素損失によって液体生成物の質量収率が低下し、それと同等な体積収率がより低くなる可能性がある。実際の粗収率は、熱水分解法をどのようにして実施するかに応じて約75％〜約90％の範囲（例えば約80％〜84％の範囲）になろう。
【００４７】
ナフサ燃料、ジェット燃料、およびディーゼル燃料は、ここに開示した方法で生成させることができる。沸点がより高い軽油材料も生成させることができ、この軽油材料は、C17〜C24の沸点範囲にあって高品質で水素含有量が多いパラフィンを含んでいる可能性がある。これらのより重い炭化水素を熱水分解反応装置にリサイクルしてさらに処理し、ナフサ、ジェット、およびディーゼルの範囲の生成物を生成させることができる。燃料ガス（オフガス）も生成させることができる。それは、いくつかの実施態様では、プロセスの加熱に用いたり、水素の生成に用いたり、個別の生成物（LPG、エチレン、プロピレン、n-ブタン、イソ-ブタンなど）として回収したりすることができる。
【００４８】
ここに開示した実施態様によって生成した燃料は、シクロパラフィンと芳香族を含む可能性；および／または大きな密度を示す可能性；および／または大きなエネルギー密度を示す可能性；および／または優れた低温特性（凝固点、曇り点、流動点、および粘度）を示す可能性；および／または自然な潤滑性を示す可能性；および／または広い範囲の炭化水素のタイプと石油に近い分子量を示す可能性；および／または優れた熱安定性を持つ可能性がある。したがってこれらの燃料は、対応する石油の真の“気軽に使える”類似体であることができ、現在の石油の仕様に合わせるためにブレンドする必要はない。
【００４９】
熱水分解反応と水素処理をカップリングさせることが独自であり、その結果としてプロセス上の利点と経済的利点が多く生じる可能性がある。利点として、例えば、熱水分解生成物の冷却と、ガス成分、油成分、および水成分の分離が不要であること；および／または酸性水の生成と処理が不要であること；および／または水素処理装置供給物のための追加の液体ポンピングと、ガス圧縮と、熱交換操作が不要であること；および／または熱損失が減少すること；および／または電力消費が減少することを挙げることができる。
【００５０】
上述のように、トリアシルグリセリド含有油を含む再生可能な供給原料でここに開示した実施態様において有用なものは、カメリナ、カリナタ、レスクエレラ、フィサリア、ヤトロファ、カランジャ、モリンガ、ヤシ、ヒマ、ワタ、トウモロコシ、亜麻仁、ピーナツ、ダイズ、ヒマワリ、桐、ババスヤシ、カノラなどのトリアシルグリセリド含有油を含むか、シアバター、トール油、獣脂、廃棄植物油、藻類の油、ポンガミアのうちの少なくとも1種類からの少なくとも1種類のトリアシルグリセリド含有油を含んでいる可能性がある。
【００５１】
ここに開示した実施態様は、ジェット燃料とディーゼル燃料を選択的に生成させるため、高濃度のC20〜C24を有するトリアシルグリセリド含有油（例えばレスクエレラ、フィサリア、カメリナ、カリナタ）を含む再生可能な供給原料の選択的利用にも関する。
【００５２】
航空機燃料の需要が世界中で増えているため、航空機燃料を製造するため、原油以外の供給源として、石油、タール・サンド、オイル・シェール、および石炭に由来する供給源がますます注目されるようになっている。そのような1つの供給源は、再生可能な供給原料と呼ばれているものである。そうした再生可能な供給原料の非限定的な例として、a）カノラ、ココナツ、トウモロコシ、綿実、亜麻仁、ブドウ種子、オリーブ、ヤシ、ピーナツ、ベニバナ、ゴマ、シア、ダイズ、ヒマワリ、クルミ、ヤトロファなどの植物油；b）獣脂、ラード、バター脂肪などの動物の脂肪／油；c）グリース、使用済み調理用油、下水汚泥などの有機廃棄物がある。原油に変換するためのこれら供給原料に共通する特徴は、それら供給原料が、炭素数がC10〜C18の範囲の脂肪酸骨格を含むモノ-、ジ-、およびトリアシルグリセリドで構成されていることである。変換するのに適した他のクラスの化合物は、脂肪酸アルキルエステル、その中でも特に、脂肪酸メチルエステル（FAME）と脂肪酸エチルエステル（FAEE）である。グリセリド、脂肪酸、およびFAEEに含まれる脂肪族炭素鎖は、飽和していてもよいし、一不飽和、二不飽和、多不飽和のいずれかでもよく、後者のグループは、飽和基の鎖よりも反応性が大きい。
【００５３】
上記の再生可能な供給原料のいくつかに関する炭素数の分布を以下の表に示す。
【００５４】
【表１】
2015532343.tif 000008
【００５５】
上記の供給原料は、上述のように、さまざまな燃料の生成に使用することができる。しかし表1に掲載した供給原料は、クラッキング型の反応を促進する変換プロセスを実施するとき、ジェット燃料範囲の炭化水素をほとんど生成しないことがわかった。カギとなる情報は、これらの再生可能な供給原料には炭素数がC20〜C24の範囲の脂肪酸が実質的に欠けていることである。再生可能なトリアシルグリセリド含有供給原料を熱分解プロセス、熱水プロセス（水熱液化、または触媒を用いた熱水分解）、接触水素化熱分解プロセス、接触分解プロセスのいずれかによって処理するとき、C10〜C18脂肪酸のクラッキングはナフサとLPGの範囲の炭化水素への高い選択性を生じ、ジェット燃料範囲の炭化水素への選択性は、限定的であるかまたはない。それを以下の例に見ることができる。
【００５６】
非常に一般的なトリアシルグリセリドのアシル骨格の典型例としてオレイン酸（C18）を用いると、次のようになる。
C18H36O2 →  C10H20＋C8H16＋（いくらかの酸素化物質）
ジェット範囲の前駆体の理論的（最大）収率は、100モル％（すなわち1モルの脂肪酸当たりの1モルのジェット範囲の炭化水素）、すなわち140/284＝49.3重量％である。
【００５７】
しかしより重いトリアシルグリセリドのアシル骨格の典型例としてエルカ酸（C22）を用いると、以下のようになる。
C22H44O2  →  C10H20＋C12H24［または2C11H22］＋（いくらかの酸素化物質）
ジェット範囲の前駆体の理論的（最大）収率は、200モル％（すなわち1モルの脂肪酸当たりの1モルのジェット範囲の炭化水素）、すなわち(140＋168)/340＝90.5重量％である。
【００５８】
要するに、クラッキング型の処理のもとでC20以上の脂肪酸は2モルのジェット範囲の生成物に分割できるのに対し、C18以下の脂肪酸からは、その化学量論により、沸点がより低くてより望ましくないナフサとLPGの範囲の炭化水素しか同時に生成されない。これは、C20以上の脂肪酸に関してジェット範囲の収率がより高くなる可能性があることを意味する。実際には、植物油と動物油に由来するどのトリアシルグリセリドにも、C10〜C24の脂肪酸がある程度分布して含まれている。しかしカリナタ油とカメリナ油は、C20〜C24の範囲のトリアシルグリセリドの量が例外的に多いことが見いだされた。表2に示したように、カリナタは、55重量％を超えるC20〜C24脂肪酸骨格を含んでおり、カメリナは、25重量％を超えるC20〜C24脂肪酸骨格を含んでいる。逆に、表1に示した植物油は、C20以上の脂肪酸の含有量が非常に少ない。C20〜C24トリアシルグリセリドの含有量が多い可能性のある他の油として、特にレスクエレラ油とフィサリア油が挙げられる。
【００５９】
【表２】
2015532343.tif 000009
【００６０】
トリアシルグリセリドを含む大半の植物油と動物脂肪は、主な含有成分としてC14〜C18脂肪酸骨格を有するが、そのうちでC18脂肪酸が優勢であるため、最初にC14〜C18脂肪酸の水素化脱酸素（または脱カルボキシル化）を実施して、C14〜C18の範囲（脱カルボキシル化のためにはC13〜C17の範囲）のn-アルカンを生成させねばならない。次に、クラッキングによってより重い最終物質、すなわちC18パラフィンをジェット範囲にするには、独立した下流の水素化分解（と、ときには水素化異性体化）ステップが必要とされる。従来の選択的水素化分解技術は、C18のクラッキングによってC9以下のものを生成させることに限定されており、それに対応してLPGとナフサの範囲へ生成物が顕著に失われる。
【００６１】
ここに開示した実施態様は、ジェット燃料とディーゼル燃料を選択的に生成させることを目的として、C20〜C24の濃度が大きいトリアシルグリセリド含有油（例えばレスクエレラ、フィサリア、カメリナ、カリナタ）を含む再生可能な供給原料を選択的に利用することに関する。ここに開示した実施態様は、市場での変動する需要に合わせることを目的として、再生可能な供給原料を選択的に変えて炭化水素を生成させることにも関する。例えばガソリンの需要がピークである間は、C16〜C18トリアシルグリセリドをより多い割合で含む再生可能な供給原料、または再生可能な供給原料の混合物を用いることができる。ガソリンの需要がより少ない期間、またはジェット燃料の需要がより多い期間には、C20〜C24トリアシルグリセリドまたはC22〜C24トリアシルグリセリドをより多い割合で含む再生可能な供給原料、または再生可能な供給原料の混合物を用いることができる。
【００６２】
カリナタでは、オレフィン性トリアシルグリセリドの含有量が、合計して55％であるC20〜C24の含有量の95％を超えており、非常に望ましい。さらに、トリアシルグリセリドのクラッキング反応性は、炭素数が大きくなるにつれて増大する。これは、厳しさがより低い反応を利用してC20以上のオレフィン性トリアシルグリセリドでC18以下のトリアシルグリセリドと同じ変換を実現できることを意味する。厳しさがより低い反応の利用により、クラッキングされた炭化水素の二次的熱変換反応も減少するため、LPGとナフサの範囲のより軽い炭化水素が生成する。あるいは反応の厳しさが同じだと、C20以上のオレフィン性トリアシルグリセリドが、C18以下のトリアシルグリセリドよりも大きな割合で変換されることになる。
【００６３】
C20〜C24トリアシルグリセリドの使用により、ジェット範囲の炭化水素と、ジェット範囲の酸素化された前駆体の選択性が最大になることで、C20〜C24脂肪酸骨格成分の含有量が顕著に多いトリアシルグリセリド供給原料を利用する機会が増える。したがってジェット燃料生産能力が同じであれば、再生可能な供給物プラント全体の能力と、それに付随する資本コストは、C20〜C24脂肪酸骨格成分の含有量が有意により少ないトリアシルグリセリド供給原料を用いるものと比べて顕著に低下する。
【００６４】
カリナタは、ジェット範囲の理論的収率を71.5重量％にできるのに対し、カメリナは、ジェット範囲の理論的収率を55重量％にすることができる。これらの値を、例えば表1に示した最も一般的な20種類の再生可能な供給源と比較すると、特にこれらの2種類は、他の再生可能な供給源と比べてはるかにジェット収率が大きいことがわかる。
【００６５】
さらに、カリナタの飽和／不飽和の比（18.7/1）は、表1に示した20種類の再生可能な供給原料の値よりもはるかに大きい。後者では、比の平均値はわずかに5.0/1である。オレフィン結合を含む不飽和トリアシルグリセリドは、熱分解、超臨界熱水分解、水熱液化、接触水素化熱分解、または触媒変換の条件下で最も反応性が大きい。カリナタでは、オレフィン性トリアシルグリセリドの含有量は、合計が55％であるC20〜C24の含有量の95％を超えており、非常に望ましい。
【００６６】
図1と図2の実施態様に関して説明したように、ジェット生成トリアシルグリセリド含有油と水の混合物は、約250℃〜約560℃の範囲の温度かつ約75バール超の圧力で反応させて、トリアシルグリセリドの少なくとも一部を、ジェット燃料範囲の炭化水素と酸素化された前駆体のうちの1種類以上を含む炭化水素または炭化水素の混合物に変換することができる。いくつかの実施態様では、反応条件は、温度が水の超臨界温度よりも高く、圧力が水の超臨界圧力よりも高いというものである。その後、得られた反応流出液をさらに処理し、分離し、炭化水素生成物を回収することができる。
【００６７】
トリアシルグリセリド／水の混合物を形成するには、任意のやり方でトリアシルグリセリド含有油を水と混合することができる。トリアシルグリセリドと水の混合物は、水とトリアシルグリセリドの質量比を、いくつかの実施態様では約0.001：1〜約1：１の範囲にすること、別の実施態様では約0.01：1〜約1：１の範囲にすること、さらに別の実施態様では約0.1：1〜約1：１の範囲にすることができる。
【００６８】
次に、触媒を用いて反応流出液を直接水素処理し、水を途中で分離することなく、追加のジェット燃料範囲の炭化水素を形成すること、および／または反応流出液に含まれる前駆体をジェット燃料範囲の炭化水素に変換することができる。いくつかの実施態様では、上記のトリアシルグリセリド含有油は、熱水分解の後、水素処理ゾーンにおいて他の再生可能な炭化水素供給原料と同時に処理することができる。
【００６９】
水素処理の後、水素処理流出液を処理して水を分離し、炭化水素を分留して1種類以上の炭化水素留分（例えばジェットの範囲で沸騰する留分）にすることができる。次に、上に説明したように水をリサイクルしてトリアシルグリセリド含有油と混合することができる。
【００７０】
ジェット燃料の範囲の炭化水素を生成させるためのトリアシルグリセリドの反応として、主に、水を触媒とした1つ以上の熱水分解反応が可能であり、いくつかの実施態様では約250℃〜約560℃の範囲の反応温度で実施することができる。反応条件には、50バール〜300バールの範囲の圧力も含めることができる。温度および／または圧力の条件は、水の臨界温度よりも高くなるように、および／または水の臨界圧力よりも大きくなるように選択することができる。すべての実施態様において、熱水分解反応は、触媒（例えば無機不均一系触媒）を添加せずに実施することができる。
【００７１】
上述のように、ここに開示した実施態様を利用してトリアシルグリセリド含有油からジェット燃料範囲の生成物を選択的に生成させることができる。ジェット燃料範囲の生成物を比較的高い割合で生成させるため、トリアシルグリセリド含有油を原油前駆体および／または留出炭化水素燃料に変換するためのここに開示した実施態様による方法は、1種類以上のトリアシルグリセリド含有油に変換プロセスを実施してトリアシルグリセリドの少なくとも一部を変換し、ナフサ燃料、ディーゼル燃料、およびジェット燃料の範囲で沸騰するイソオレフィン、イソパラフィン、シクロオレフィン、シクロパラフィン、芳香族のうちの1種類以上を含む反応生成物を生成させる操作を含むことができる。
【００７２】
生成するジェット燃料の範囲の生成物の割合は、上に指摘したように、市場の需要に合わせて変えることができる。したがってここに開示した方法は、トリアシルグリセリド含有油の組成を変えることにより、ジェット範囲の生成物の収率を選択的に変化させる操作も含むことができる。例えば変える操作は、トリアシルグリセリド含有油に含まれるカメリナ系油、カリナタ系油、レスクエレラ系油、フィサリア系油のいずれか、またはこれらの混合物の含有量を増減させる操作を含むことができる。大きな理論値のジェット収率をこれらの油で実現できるため、ここに開示した方法から大きなジェット収率を達成することと、ジェット収率生成物の割合をうまく変化させることが可能になる。
【００７３】
望む高収率のジェット範囲の生成物を得るためにこの明細書の実施態様で利用できる変換プロセスには、熱分解プロセス、水熱液化プロセス、超臨界熱水分解プロセス、接触水素化熱分解プロセス、接触分解プロセスのうちの1つ以上が含まれてよい。例えば熱分解プロセスは、固定床反応装置、流動床反応装置、噴流床反応装置いずれかの中で、不活性な材料とともに、または不活性な材料なしで、約300℃〜600℃の範囲の温度にて、約2〜1000/時の範囲の空間速度で、同時に供給する水なしに実施することができる。水熱液化プロセスは、固定床反応装置、流動床反応装置、噴流床反応装置いずれかの中で、不活性な材料とともに、または不活性な材料なしで、約150℃〜370℃の範囲の温度にて、約50〜約200バールの範囲の圧力で、約3〜約60分間の範囲の滞留時間にして、同時に供給する水の存在下で実施することができる。超臨界熱水分解は、固定床反応装置、流動床反応装置、噴流床反応装置いずれかの中で、不活性な材料とともに、または不活性な材料なしで、約3〜約60分間の範囲の滞留時間にして、ほぼ臨界水条件または超臨界水条件で実施することができる（例えば約200バール超の圧力および／または約370℃超の温度）。接触分解プロセスは、噴流床反応装置の中で、流体クラッキング触媒を用いて約350℃〜600℃の範囲の温度で実施することができる。接触水素化熱分解は、固定床反応装置、流動床反応装置、スラリー相反応装置、噴流床反応装置いずれかの中で、担持されているか担持されていない卑金属酸化物、シリカ-アルミナ、ゼオライト、金属リン化物、ハイドロタルク石のうちの1種類以上を含む触媒を用い、約300℃〜約600℃の範囲の温度にて、約1〜100バールの範囲の圧力で実施することができる。いくつかの実施態様では、変換プロセスは、熱水分解プロセスと接触分解プロセスの組み合わせを含んでいる。
【００７４】
上記の方法のうちの1つ以上によってトリアシルグリセリド油を変換した後、回収した炭化水素またはその一部（例えばジェット燃料範囲の炭化水素、またはC5〜終点炭化水素）を水素処理することができる。例えば炭化水素を、反応条件で、担持されているか担持されていなくて、オレイン結合の飽和、水素化脱酸素、水素化脱窒素、水素化脱硫のうちの少なくとも1つに関する活性を有する、1種類以上の金属、金属酸化物、および／または金属硫化物を含む1種類以上の触媒と接触させることによって反応生成物またはその一部を水素処理してジェット燃料範囲の炭化水素をアップグレードし、Jet A、Jet A-1、JP-4、JP-5、JP-6、JP-7、JP-8、SPK、HEFAというジェット燃料のうちの1種類以上を含む仕様ジェット燃料生成物を生成させることができる。いくつかの実施態様では、ジェット留分は、全酸数が、1g当たりのKOHのmg数で表わして0.1未満であるという特性と、約5体積％未満のオレフィンと約25体積％未満の芳香族を含むという特性のうちの1つ以上の特性を持つことができる。そのような場合、この明細書の実施態様に従ってトリアシルグリセリド含有油から生成させたジェット燃料範囲の生成物は、ブレンドせずに直接ジェット燃料として使用できる。
【００７５】
別の1つの特徴では、ここに開示した実施態様を利用して、上に説明したように、例えば熱水分解を通じ、ジェット燃料範囲の生成物を選択的に生成させることができる。ジェット燃料範囲の生成物を比較的大きな割合で生成させるため、トリアシルグリセリド含有油を原油前駆体および／または留出炭化水素燃料に変換するためのここに開示した実施態様による熱水分解プロセスは、水と、二原子水素と、少なくとも20重量％のC20〜C24脂肪酸を含むトリアシルグリセリド含有油とを含む混合物を約250℃〜約560℃の範囲の温度かつ約75バール超の圧力で反応させてトリアシルグリセリドの少なくとも一部を変換し、水と、イソオレフィン、イソパラフィン、シクロオレフィン、シクロパラフィン、芳香族のうちの1種類以上とを含む反応流出液を回収する操作；その反応流出液を水素処理して水素処理された流出液を形成する操作を含むことができる。
【００７６】
いくつかの実施態様では、トリアシルグリセリド含有油のジェット収率の理論値は少なくとも50重量％（例えば約50重量％〜約75重量％の範囲）であることができる。いくつかの実施態様では、トリアシルグリセリド含有油は、カメリナ油、カリナタ油、レスクエレラ油、フィサリア油、およびこれらの混合物から選択した再生可能な油からなること、またはこれらの再生可能な油から本質的になることができる。
【実施例】
【００７７】
二原子水素を外部から同時に供給することの効果を調べるため、触媒を用いた熱水分解（CH）反応を2回実施した。反応は、同じ反応系の中で、以下の条件下でほぼ同じ動作圧力と動作温度にて実施した。
【００７８】
【表３】
2015532343.tif 000010
【００７９】
供給するカリナタ油１gにつき丁度0.26リットルの二原子水素を同時に供給することにより、トリアシルグリセリド（TAG）供給物に関するTAG変換率は11％超増大した。これは、変換性能が相対的に16％超増加したことと同等である。また、TAG供給物に関して全芳香族収率は約5％増加した。これは、芳香族の生成性能が相対的に15％超増加したことと同等である。芳香族、特にジェット燃料留分に含まれる芳香族は、典型的には、石油由来の燃料の中に存在し、ジェット留分中に最大で25液体体積％まで存在している。したがって二原子水素を外部から同時に供給することの別の利点は、特にジェット燃料留分に含まれる芳香族の生成率が増大することである。表に示した全芳香族の収率は、熱水分解した原油全体に対する％として表わしてあり、これらの値は、同等なジェット燃料の組成で補正しても、ジェット燃料留分の中に相変わらず最大で25液体体積％以内である。2回の反応で反応温度がわずかに異なっていたが、温度だけで変換率と芳香族の収率の大きな変化を説明することはできない。これは、水素の同時供給に大きな利点がある可能性があることを示している。
【００８０】
上述のように、ここに開示した実施態様により、再生可能な供給原料をインフラストラクチャーに適合したジェット範囲の燃料に変換する方法が提供される。C20〜C24トリアシルグリセリドを用いるとジェット範囲の炭化水素とジェット範囲の前駆体の選択性が最大になるため、C20〜C24脂肪酸骨格成分を顕著により多く含むトリアシルグリセリド-供給原料を利用する機会が増える。したがってジェット燃料生産能力が同じであれば、再生可能な供給物プラント全体の能力と、それに付随する資本コストは、C20〜C24脂肪酸骨格成分の含有量が有意により少ないトリアシルグリセリド供給原料を用いるものと比べて顕著に低下する。
【００８１】
ここに開示した方法は、経済的に実現可能なやり方で商業規模にて実施することができる。この明細書の実施態様では、触媒の汚損に関連した運転の問題に妨げられることなく、トリアシルグリセリド含有油を変換する熱効率を経済的に魅力的なやり方で最大にすることができる。熱水分解プロセスの間に水（例えば約5％の供給水）が加水分解反応で消費される可能性がある。水素処理装置では、生成したグリセリン副生成物の多くをさらに水素化してプロパンに変換することができる。脱カルボキシル化反応によってCOxが形成され、その炭素損失によって液体生成物の質量収率が低下し、それと同等な体積収率がより低くなる可能性がある。
【００８２】
ジェット燃料の範囲の炭化水素と酸素化された前駆体は、ここに開示した方法で生成させることができる。ここに開示した実施態様によって生成した燃料は、大きな密度を示す可能性；および／または大きなエネルギー密度を示す可能性；および／または優れた低温特性（凝固点、曇り点、流動点、および粘度）を示す可能性；および／または自然な潤滑性を示す可能性；および／または優れた熱安定性を持つ可能性がある。したがってこれらの燃料は、対応する石油の真の“気軽に使える”類似体であることができ、現在の石油の仕様に合わせるためにブレンドする必要はない。
【００８３】
開示内容には限られた数の実施態様しか含まれていないが、この開示内容の恩恵を受ける当業者であれば、本発明の範囲を逸脱することなく他の実施態様を導出できることがわかるであろう。したがって本発明の範囲は、添付の請求項によってのみ制限されるべきである。
【誤訳訂正２】
【訂正対象書類名】特許請求の範囲
【訂正対象項目名】全文
【訂正方法】変更
【訂正の内容】
【特許請求の範囲】
【請求項１】
トリアシルグリセリド含有油を原油前駆体および／または留出炭化水素燃料に変換する方法であって、
水と、二原子水素と、少なくとも20重量％のC20〜C24脂肪酸を含むトリアシルグリセリド含有油とを含む混合物を約250℃〜約560℃の範囲の温度かつ約75バール超の圧力で反応させて前記トリアシルグリセリドの少なくとも一部を変換し、水と、イソオレフィン、イソパラフィン、シクロオレフィン、シクロパラフィン、芳香族のうちの1種類以上とを含む反応流出液を回収する操作；
前記反応流出液を水素処理して水素処理された流出液を形成する操作を含む方法。
【請求項２】
前記トリアシルグリセリド含有油のジェット収率の理論値が少なくとも50重量％である、請求項1に記載の方法。
【請求項３】
前記トリアシルグリセリド含有油が、カメリナ、カリナタ、レスクエレラ、フィサリア、およびこれらの混合物からの再生可能な油から本質的になる、請求項1に記載の方法。
【請求項４】
前記トリアシルグリセリド含有油を水および二原子水素と混合してトリアシルグリセリドと水と二原子水素の前記混合物を形成する操作をさらに含む、請求項1に記載の方法。
【請求項５】
前記トリアシルグリセリド含有油を水と混合してトリアシルグリセリドと水の混合物を形成する操作をさらに含む、請求項1に記載の方法。
【請求項６】
トリアシルグリセリドと水の前記混合物を水素と混合してトリアシルグリセリドと水と二原子水素の前記混合物を形成する操作をさらに含む、請求項5に記載の方法。
【請求項７】
トリアシルグリセリドと水と二原子水素の前記混合物の水とトリアシルグリセリドの質量比が約0.001：1〜約1：１の範囲である、請求項1に記載の方法。
【請求項８】
トリアシルグリセリドと水と二原子水素の前記混合物の二原子水素とトリアシルグリセリドの質量比が約0.005：1〜約0.5：１の範囲である、請求項1に記載の方法。
【請求項９】
水素処理された前記流出液から二原子水素と水の少なくとも一方を分離する操作をさらに含む、請求項1に記載の方法。
【請求項１０】
分離された前記二原子水素と分離された前記水の少なくとも一方を前記反応させる操作ステップにリサイクルする操作をさらに含む、請求項9に記載の方法。
【請求項１１】
前記水素処理する操作ステップにおいて、再生不能な炭化水素供給原料を前記反応流出液と同時に処理する操作をさらに含む、請求項1に記載の方法。
【請求項１２】
水素処理された前記流出液を分留し、ナフサ、ディーゼル、ジェットいずれかの範囲で沸騰する1種類以上の炭化水素留分を回収する操作をさらに含む、請求項1に記載の方法。
【請求項１３】
不均一系触媒または可溶性金属触媒の添加なしで前記反応させる操作を実施する、請求項1に記載の方法。
【請求項１４】
請求項1に記載の方法であって、熱水分解反応装置の中で前記反応させる操作を実施し、前記方法が、液体の水を前記熱水分解反応装置の中に注入して前記熱水分解反応装置の内部の温度または温度プロファイルを維持する操作をさらに含む方法。
【請求項１５】
前記ジェット留分の全酸数が、1g当たりのKOHのmg数で表わして0.1未満である、請求項12に記載の方法。
【請求項１６】
前記ジェット留分が、約5体積％未満のオレフィンと、約25体積％未満の芳香族を含む、請求項12に記載の方法。
【請求項１７】
前記ジェット留分をブレンドせずにジェット燃料として直接使用できる；または
前記ディーゼル留分をブレンドせずにディーゼル燃料として直接使用できる、請求項12に記載の方法。
【請求項１８】
トリアシルグリセリド含有油を原油前駆体および／または留出炭化水素燃料に変換する方法であって、
1種類以上のトリアシルグリセリド含有油に変換プロセスを実施して前記トリアシルグリセリドの少なくとも一部を変換し、ナフサ燃料、ディーゼル燃料、およびジェット燃料の範囲で沸騰するイソオレフィン、イソパラフィン、シクロオレフィン、シクロパラフィン、芳香族のうちの1種類以上を含む反応生成物を生成させる操作；
前記トリアシルグリセリド含有油の組成を変えることにより、ジェット範囲の生成物の収率を選択的に変化させる操作を含む方法。
【請求項１９】
前記変える操作が、前記トリアシルグリセリド含有油に含まれるカメリナ系油、カリナタ系油、レスクエレラ系油、フィサリア系油のいずれか、またはこれらの混合物の含有量を増減させる操作を含む、請求項18に記載の方法。
【請求項２０】
前記変換プロセスが熱分解プロセスを含む、請求項18に記載の方法。
【請求項２１】
前記熱分解プロセスを、固定床反応装置、流動床反応装置、噴流床反応装置いずれかの中で、不活性な材料とともに、または不活性な材料なしで、約300℃〜600℃の範囲の温度にて、約2〜1000/時の範囲の空間速度で、同時に供給する水なしに実施する、請求項20に記載の方法。
【請求項２２】
前記変換プロセスが水熱液化プロセスを含む、請求項18に記載の方法。
【請求項２３】
前記水熱液化プロセスを、固定床反応装置、流動床反応装置、噴流床反応装置いずれかの中で、不活性な材料とともに、または不活性な材料なしで、約150℃〜370℃の範囲の温度にて、約50〜約200バールの範囲の圧力で、約3〜約60分間の範囲の滞留時間にして、同時に供給する水の存在下で実施する、請求項22に記載の方法。
【請求項２４】
前記変換プロセスが超臨界熱水分解プロセスを含む、請求項18に記載の方法。
【請求項２５】
前記超臨界熱水分解を、固定床反応装置、流動床反応装置、噴流床反応装置いずれかの中で、不活性な材料とともに、または不活性な材料なしで、約3〜約60分間の範囲の滞留時間にして、超臨界水条件で実施する、請求項24に記載の方法。
【請求項２６】
前記変換プロセスが接触分解プロセスを含む、請求項18に記載の方法。
【請求項２７】
前記接触分解プロセスを、噴流床反応装置の中で、流体クラッキング触媒を用いて約350℃〜600℃の範囲の温度で実施する、請求項26に記載の方法。
【請求項２８】
前記変換プロセスが接触水素化熱分解プロセスを含む、請求項18に記載の方法。
【請求項２９】
前記接触水素化熱分解を、固定床反応装置、流動床反応装置、スラリー相反応装置、噴流床反応装置いずれかの中で、担持されているか担持されていない卑金属酸化物、シリカ-アルミナ、ゼオライト、金属リン化物、ハイドロタルク石のうちの1種類以上を含む触媒を用い、約300℃〜約600℃の範囲の温度にて、約1〜100バールの範囲の圧力で実施する、請求項28に記載の方法。
【請求項３０】
前記変換プロセスが、熱水分解プロセスと接触分解プロセスの組み合わせを含む、請求項18に記載の方法。
【請求項３１】
前記反応生成物またはその一部を水素処理し、Jet A、Jet A-1、JP-4、JP-5、JP-6、JP-7、JP-8、SPK、HEFAというジェット燃料のうちの1種類以上を含む仕様ジェット燃料生成物を生成させる操作をさらに含む、請求項18に記載の方法。
【請求項３２】
前記水素処理する操作が、前記反応生成物またはその一部を、反応条件で、担持されているか担持されていなくて、オレイン結合の飽和、水素化脱酸素、水素化脱窒素、水素化脱硫のうちの少なくとも1つに関する活性を有する、金属、金属酸化物、金属硫化物のうちの1種類以上を含む触媒と接触させる操作を含む、請求項31に記載の方法。
【国際調査報告】
2015532343.tif 000011
2015532343.tif 000012